(57)【特許請求の範囲】
【請求項１】
履物製品用のアッパーであって、
前記アッパーの外面と、前記外面に対向し足を受け入れるための空洞を区画する前記アッパーの内面とのうちの少なくとも一方の一部を区画するニット要素と、
前記アッパーの内側側部および外側側部の間に配置された前記アッパーのスロート区域を通って延びているベロであって、当該ベロと前記ニット要素とが一体に編まれたワンピースニット要素を形成しているベロとを含み、
前記ベロが外側縁および内側縁を有し、前記ベロの前記外側縁および前記内側縁が、前記アッパーの前記スロート区域の内側側部および外側側部に沿って前記ニット要素に固定されておらず、
前記ワンピースニット要素を形成するために、前記ベロのコースが前記ニット要素のコースと接合されるように、前記スロート区域の前方部分における前記ニット要素に前記ベロが固定されており、
少なくとも前記ベロの前記外側縁および前記内側縁の一方が、前記スロート区域において、前記ニット要素と同じ領域にあり、前記ニット要素と重なっている、アッパー。
【請求項２】
前記ベロが当該アッパーの足首開口部に向けて延びる、請求項１に記載のアッパー。
【請求項３】
前記ニット要素と前記ベロの少なくとも一部とが共通の糸によって形成されている、請求項１または２に記載のアッパー。
【請求項４】
前記ニット要素の少なくとも一部と前記ベロの少なくとも一部とが共通のニット構造によって形成されている、請求項１〜３のいずれか一項に記載のアッパー。
【請求項５】
前記ベロが、第１ニット層および第２ニット層を含み、
前記ベロの少なくとも一部が、前記第１ニット層、前記第２ニット層、および、前記第１ニット層および前記第２ニット層の少なくとも一つのコースおよび少なくとも一つのウェールに固定されていない複数のフリーヤーン部分を有し、前記第１ニット層および前記第２ニット層が、互いに隣接しており、前記ベロの前記内側縁および前記外側縁のそれぞれに沿って一緒に形成されており、前記フリーヤーン部分が前記第１ニット層と前記第２ニット層との間に配置されている、請求項１〜４のいずれか一項に記載のアッパー。
【請求項６】
前記ベロの少なくとも一部が、複数のニット開口を形成するメッシュ状のニット構造を有する、請求項１〜５のいずれか一項に記載のアッパー。
【請求項７】
前記ニット要素が、前記アッパーの前記スロート区域から、前記アッパーにおいて前記ニット要素が前記履物製品のソール構造に結合される部分に位置する下側区域まで延びており、インレイストランドが、前記ニット要素を通って前記スロート区域から前記下側区域まで延びる、請求項１〜６のいずれか一項に記載のアッパー。
【請求項８】
前記インレイストランドが、前記スロート区域内に配置された開口の周囲で少なくとも部分的に延びる、請求項７に記載のアッパー。
【請求項９】
前記インレイストランドが、前記スロート区域において前記外面と前記内面との間に配置されている、請求項７または８に記載のアッパー。
【請求項１０】
前記インレイストランドは、前記スロート区域から前記下側区域に向けて繰り返し延びる、請求項７〜９のいずれか一項に記載のアッパー。
【請求項１１】
前記ニット要素および前記ベロは、前記スロート区域の前記前方部分のみに沿う共通の少なくとも一つのコースを有する、請求項１〜１０のいずれか一項に記載のアッパー。
【請求項１２】
前記ニット要素に関連する少なくとも一つのコースが、前記ベロに関連し前記スロート区域の前記前方部分のみに沿う少なくとも一つのコースに接合されており、
前記ベロに関連する複数のコースが、前記ベロの前記内側縁および前記外側縁のそれぞれに沿って前記ニット要素から解放されている、請求項１〜１１のいずれか一項に記載のアッパー。
【請求項１３】
前記ニット要素が、前記アッパーの前記スロート区域の前記前方部分で前記ベロの少なくとも一つのコースと連続する少なくとも一つのコースを有し、
前記ニット要素に関連するコースと前記ベロに関連するコースとが、前記アッパーの前記スロート区域の前記内側側部と前記外側側部とに沿って固定されていない、請求項１〜１２のいずれか一項に記載のアッパー。
【発明の詳細な説明】
【技術分野】
【０００１】
この発明は、履物製品用のアッパーに関する。
【背景技術】
【０００２】
従来の履物製品は一般に、アッパーおよびソール構造という２つの主要な要素を含んでいる。アッパーは、ソール構造に固定されて、足を快適にかつ安定して受け入れるために、履物の内部に空洞を形成する。ソール構造は、それによってアッパーと地面との間に位置するように、アッパーの下側区域に固定されている。例えば、運動用の履物では、ソール構造は、ミッドソールとアウトソールとを含んでいてもよい。ミッドソールは、地面の反力を弱めて、歩くとき、走るとき、および他の歩行活動中に足および脚にかかる応力を低減するポリマー発泡材料を含んでいてもよい。さらに、ミッドソールは、力をさらに弱め、安定性を高め、または足の動きに影響を与える液体充填チャンバ、プレート、モデレータ、または他の要素を含んでいてもよい。アウトソールは、ミッドソールの下面に固定されて、ゴムなど耐久性のある耐摩耗性材料で形成されたソール構造の地面係止部を提供する。ソール構造は、履物の快適性を高めるために、空洞内に配置され、足の下面に近接する中敷きも含んでいてもよい。
【０００３】
アッパーは大略的に、足の甲およびつま先区域にわたり、足の内側側部および外側側部に沿って、足のかかと区域の周りに延びている。バスケットボール用履物およびブーツなどいくつかの履物製品では、アッパーは上方に、足首の周りに延びて、足首に支持または保護を与えてもよい。アッパーの内部の空洞へのアクセスは一般に、履物のかかと区域にある足首開口部によって提供される。アッパーの履き心地を調整するために、しばしば締めひもシステムがアッパーに組み込まれ、それによりアッパー内の空洞に足を入れ、足を抜くことが可能になる。締めひもシステムにより、着用者がアッパーの特定の寸法、特に周長を調節して、さまざまな寸法の足を収容することもできる。くわえて、アッパーは、締めひもシステムの下に延びて、履物の調節可能性を高めるベロを含んでいてもよく、アッパーは、かかとの動きを制限するために、ヒールカウンタを組み込んでいてもよい。
【０００４】
さまざまな材料要素（例えば、織物、ポリマー発泡体、ポリマーシート、革、合成皮革）が、従来、アッパーを製造する際に利用されている。例えば、運動用の履物では、アッパーは、それぞれが様々な接合材料要素を含む複数の層を有していてもよい。例として、材料要素は、耐伸縮性、耐摩耗性、柔軟性、通気性、圧縮性、快適性および速乾性をアッパーの異なる区域に付与するように選択してもよい。アッパーの異なる区域に異なる特性を付与するために、材料要素を所望の形状に切断してから、通常は、縫製または接着剤で互いに接合することが多い。また、材料要素は、同じ区域に多数の特性を付与するために層状構成で接合されることが多い。アッパーに組み込まれる材料要素の数および種類が増えるにつれ、材料要素の輸送、保管、切断および接合に関連する時間および費用も増加することがある。切断および縫製プロセスから出る廃材も、アッパーに組み込まれる材料要素の数および種類が増えるにつれて、さらに多く蓄積する。さらに、アッパーの材料要素の数が多くなるほど、種類および数が少ない材料要素から形成されているアッパーよりもリサイクルが難しくなることがある。そのため、アッパーに利用する材料要素の数を減らすことにより、アッパーの製造効率およびリサイクル性を高めながら、廃棄物を少なくすることができる。
【発明の概要】
【発明が解決しようとする課題】
【０００５】
本発明は、以上の背景に適した履物製品を提供することを目的とする。
【課題を解決するための手段】
【０００６】
履物製品のさまざまな構成は、アッパーと、そのアッパーに固定されたソール構造とを有してもよい。アッパーは、ニット要素およびベロを含んでいる。ニット要素は、アッパーの外側面の一部と、アッパーの反対側の内面を画定し、その内面は、足を受け入れるための空洞を画定している。ベロは、ニット要素を有する一体ニット構造で形成され、アッパーのスロート区域を通って延びている。
【０００７】
この発明は、履物製品用のアッパーであって、前記アッパーの外面と、前記外面に対向し足を受け入れるための空洞を区画する前記アッパーの内面とのうちの少なくとも一方の一部を区画するニット要素と、前記アッパーのスロート区域を通って延びているベロであって、当該ベロと前記ニット要素とがワンピースニット要素として形成されるように前記ニット要素によって形成されたベロとを含み、前記ベロが外側縁および内側縁を有し、前記ベロの前記外側縁および前記内側縁が、前記アッパーの前記スロート区域の内側側部および外側側部に沿って前記ニット要素に固定されておらず、前記ベロが、前記ワンピースニット要素を形成するために、少なくとも一つの共通のコースに沿って前記ニット要素と接合されるように、前記スロート区域の前方部分における前記ニット要素に固定されている、アッパーを提供する。
【０００８】
この発明の一実施形態では、前記ベロが当該アッパーの足首開口部に向けて延びる。
【０００９】
この発明の一実施形態では、前記ニット要素と前記ベロの少なくとも一部とが共通の糸によって形成されている。
【００１０】
この発明の一実施形態では、前記ニット要素の少なくとも一部と前記ベロの少なくとも一部とが共通のニット構造によって形成されている。
【００１１】
この発明の一実施形態では、前記ベロが、第１ニット層および第２ニット層を含み、前記ベロの少なくとも一部が、前記第１ニット層、前記第２ニット層、および、複数のフリーヤーン部分を有し、前記第１ニット層および前記第２ニット層が、互いに隣接しており、前記ベロの前記内側縁および前記外側縁のそれぞれに沿って一緒に形成されており、前記フリーヤーン部分が前記第１ニット層と前記第２ニット層との間に配置されている。
【００１２】
この発明の一実施形態では、前記ベロの少なくとも一部が、複数のニット開口を有する。
【００１３】
この発明の一実施形態では、前記ニット要素が、前記アッパーの前記スロート区域から下側区域まで延びており、インレイストランドが、前記ニット要素を通って前記スロート区域から下側区域まで延びる。
【００１４】
この発明の一実施形態では、前記インレイストランドが、前記スロート区域において少なくとも部分的に開口の周囲で延びる。
【００１５】
この発明の一実施形態では、前記インレイストランドが、前記スロート区域において前記外面と前記内面との間に配置されている。
【００１６】
この発明の一実施形態では、前記インレイストランドは、前記スロート区域から前記下側区域に向けて繰り返し延びる。
【００１７】
この発明の一実施形態では、前記ニット要素および前記ベロは、前記スロート区域の前記前方部分のみに沿う共通の少なくとも一つのコースを有する。
【００１８】
この発明の一実施形態では、前記ニット要素に関連する少なくとも一つのコースが、前記ベロに関連し前記スロート区域の前記前方部分のみに沿う少なくとも一つのコースに接合されており、前記ベロに関連する複数のコースが、前記ベロの前記内側縁および前記外側縁のそれぞれに沿って互いにのみ接合されている。
【００１９】
この発明の一実施形態では、前記ニット要素が、前記アッパーの前記スロート区域の前記前方部分で前記ベロの少なくとも一つのコースと実質的に連続する少なくとも一つのコースを有し、前記ニット要素に関連するコースと前記ベロに関連するコースとが、前記アッパーの前記スロート区域前記内側側部と前記外側側部とに沿って固定されていない。
【００２０】
本発明のさまざまな側面を特徴付ける新規性の利点および特徴は、添付の請求項で具体的に指摘されている。しかし、新規性の利点および特徴をより一層理解するために、本発明に関するさまざまな構成および概念を説明および図示した以下の説明事項および添付図面を参照することができるであろう。
【００２１】
上述の概要および以下の詳細な説明は、添付図面と合わせて読むとより一層理解されるであろう。
【図面の簡単な説明】
【００２２】
【図１】履物製品の斜視図である。
【図２】履物製品の外側立面図である。
【図３】履物製品の内側側部の立面図である。
【図４Ａ】図２および図３の切断線４Ａによって画定した履物製品の断面図である。
【図４Ｂ】図２および図３の切断線４Ｂによって画定した履物製品の断面図である。
【図４Ｃ】図２および図３の切断線４Ｃによって画定した履物製品の断面図である。
【図５】履物製品のアッパーの一部を形成する第１ニット構成要素の上部平面図である。
【図６】第１ニット構成要素の底部平面図である。
【図７Ａ】図５の切断線７Ａで画定した第１ニット構成要素の断面図である。
【図７Ｂ】図５の切断線７Ｂで画定した第１ニット構成要素の断面図である。
【図７Ｃ】図５の切断線７Ｃで画定した第１ニット構成要素の断面図である。
【図７Ｄ】図５の切断線７Ｄで画定した第１ニット構成要素の断面図である。
【図７Ｅ】図５の切断線７Ｅで画定した第１ニット構成要素の断面図である。
【図８Ａ】第１ニット構成要素のニット構造を示す平面図である。
【図８Ｂ】第１ニット構成要素のニット構造を示す平面図である。
【図９】履物製品のアッパーの一部を形成してもよい第２ニット構成要素の上部平面図である。
【図１０】第２ニット構成要素の底部平面図である。
【図１１】ニットゾーンを示す第２ニット構成要素の模式的な上部平面図である。
【図１２Ａ】図９の切断線１２Ａで画定した第２ニット構成要素の断面図である。
【図１２Ｂ】図９の切断線１２Ｂで画定した第２ニット構成要素の断面図である。
【図１２Ｃ】図９の切断線１２Ｃで画定した第２ニット構成要素の断面図である。
【図１２Ｄ】図９の切断線１２Ｄで画定した第２ニット構成要素の断面図である。
【図１２Ｅ】図９の切断線１２Ｅで画定した第２ニット構成要素の断面図である。
【図１３Ａ】ニットゾーンのループ図である。
【図１３Ｂ】ニットゾーンのループ図である。
【図１３Ｃ】ニットゾーンのループ図である。
【図１３Ｄ】ニットゾーンのループ図である。
【図１３Ｅ】ニットゾーンのループ図である。
【図１３Ｆ】ニットゾーンのループ図である。
【図１３Ｇ】ニットゾーンのループ図である。
【図１３Ｈ】ニットゾーンのループ図である。
【図１４Ａ】図５に対応する上部平面図であり、第１ニット構成要素のさらなる構成を示している。
【図１４Ｂ】図５に対応する上部平面図であり、第１ニット構成要素のさらなる構成を示している。
【図１４Ｃ】図５に対応する上部平面図であり、第１ニット構成要素のさらなる構成を示している。
【図１５】編み機の斜視図である。
【図１６】編み機から見たコンビネーションフィーダーの立面図である。
【図１７】編み機から見たコンビネーションフィーダーの立面図である。
【図１８】編み機から見たコンビネーションフィーダーの立面図である。
【図１９】図１６に対応する立面図であり、コンビネーションフィーダーの内部構成要素を示している。
【図２０Ａ】図１９に対応する立面図であり、コンビネーションフィーダーの動作を示している。
【図２０Ｂ】図１９に対応する立面図であり、コンビネーションフィーダーの動作を示している。
【図２０Ｃ】図１９に対応する立面図であり、コンビネーションフィーダーの動作を示している。
【図２１Ａ】コンビネーションフィーダーおよび従来のフィーダーを利用する編みプロセスの模式的斜視図である。
【図２１Ｂ】コンビネーションフィーダーおよび従来のフィーダーを利用する編みプロセスの模式的斜視図である。
【図２１Ｃ】コンビネーションフィーダーおよび従来のフィーダーを利用する編みプロセスの模式的斜視図である。
【図２１Ｄ】コンビネーションフィーダーおよび従来のフィーダーを利用する編みプロセスの模式的斜視図である。
【図２１Ｅ】コンビネーションフィーダーおよび従来のフィーダーを利用する編みプロセスの模式的斜視図である。
【図２１Ｆ】コンビネーションフィーダーおよび従来のフィーダーを利用する編みプロセスの模式的斜視図である。
【図２１Ｇ】コンビネーションフィーダーおよび従来のフィーダーを利用する編みプロセスの模式的斜視図である。
【図２１Ｈ】コンビネーションフィーダーおよび従来のフィーダーを利用する編みプロセスの模式的斜視図である。
【図２１Ｉ】コンビネーションフィーダーおよび従来のフィーダーを利用する編みプロセスの模式的斜視図である。
【図２２Ａ】コンビネーションフィーダーおよび従来のフィーダーの位置を示す編みプロセスの模式的断面図である。
【図２２Ｂ】コンビネーションフィーダーおよび従来のフィーダーの位置を示す編みプロセスの模式的断面図である。
【図２２Ｃ】コンビネーションフィーダーおよび従来のフィーダーの位置を示す編みプロセスの模式的断面図である。
【図２３】編みプロセスの別の側面を示す模式的斜視図である。
【図２４】編み機の別の構成の斜視図である。
【図２５】第１のニットベロを有する第１のニット構成要素の上面図である。
【図２６】第１のニットベロを有する第１のニット構成要素の部分上面図である。
【図２７】図２６の切断線２７によって画定される第１のニットベロの断面図である。
【図２８】第２のニットベロを有する第２のニット構成要素の上面図である。
【図２９】第２のニットベロを有する第２のニット構成要素の部分上面図である。
【図３０】図２９の切断線３０によって画定される第２のニットベロの断面図である。
【図３１】第３のニットベロを有する第３のニット構成要素の上面図である。
【図３２】第３のニットベロを有する第３のニット構成要素の部分上面図である。
【図３３】図３２の切断線３３によって画定される第３のニットベロの断面図である。
【図３４】第４のニットベロを有する第４のニット構成要素の上面図である。
【図３５】図３４の切断線３５によって画定される第４のニット構成要素および第４のニットベロの断面図である。
【図３６Ａ】第１のニットベロを有する第１のニット構成要素を形成するための編みプロセスの模式的立面図である。
【図３６Ｂ】第１のニットベロを有する第１のニット構成要素を形成するための編みプロセスの模式的立面図である。
【図３６Ｃ】第１のニットベロを有する第１のニット構成要素を形成するための編みプロセスの模式的立面図である。
【図３６Ｄ】第１のニットベロを有する第１のニット構成要素を形成するための編みプロセスの模式的立面図である。
【図３６Ｅ】第１のニットベロを有する第１のニット構成要素を形成するための編みプロセスの模式的立面図である。
【図３６Ｆ】第１のニットベロを有する第１のニット構成要素を形成するための編みプロセスの模式的立面図である。
【図３６Ｇ】第１のニットベロを有する第１のニット構成要素を形成するための編みプロセスの模式的立面図である。
【図３７】編みプロセスのさらなる実施例の工程を示す模式的立面図である。
【図３８】編み機の模式的ブロック図である。
【図３９Ａ】図２６に対応する部分上面図であり、第１のニットベロの連続的変化を図示している。
【図３９Ｂ】図２６に対応する部分上面図であり、第１のニットベロの連続的変化を図示している。
【図３９Ｃ】図２６に対応する部分上面図であり、第１のニットベロの連続的変化を図示している。
【発明を実施するための形態】
【００２３】
以下の説明および添付の図面は、ニット構成要素およびニット構成要素の製造に関するさまざまな概念を開示する。ニット構成要素はさまざまな製品において利用してもよいが、一実施例としてニット構成要素の１つを組み込んでいる履物製品を以下に開示する。履物の他に、ニット構成要素は他の種類の衣料品（例、シャツ、ズボン、靴下、上着、下着）、運動用品（例、ゴルフバッグ、野球およびフットボール用のグローブ、サッカーボールの規制構造体）、入れ物（例、バックパック、バッグ）、および家具の装飾用品（例、椅子、ソファ、カーシート）に利用してもよい。ニット構成要素はベッドカバーリング（例、シーツ、毛布）、テーブルカバーリング、タオル、旗、テント、帆およびパラシュートに利用してもよい。ニット構成要素は、自動車および航空宇宙産業用の構造物、フィルタ材料、医療用の布（例、包帯、綿棒、移植組織片）、堤防を補強するためのジオテキスタイル、作物を保護するためのアグロテキスタイル、ならびに熱および放射から保護または絶縁する工業用衣料品を含め、産業用の技術的テキスタイルとして利用してもよい。したがって、本明細書で開示するニット構成要素および他の概念は、個人用および産業用の両方の目的のためのさまざまな製品に組み込んでもよい。
【００２４】
〈履物の構成〉
図１〜図４Ｃにソール構造１１０とアッパー１２０とを含む履物製品１００が図示されている。履物１００はランニングに適した一般的な構成を有するように描かれているが、履物１００に関連する概念は、例えば野球靴、バスケットボールシューズ、サイクリングシューズ、フットボールシューズ、テニスシューズ、サッカーシューズ、トレーニングシューズ、ウォーキングシューズ、およびハイキングブーツを含め、さまざまな他の運動用の履物の種類にも適用してもよい。この概念は、ドレスシューズ、ローファー、サンダルおよび作業靴を含め、一般に非運動用と考えられる履物の種類にも適用してもよい。したがって、履物１００に関して開示する概念は、多様な履物の種類に適用される。
【００２５】
参照のために、履物１００は足先領域１０１と中足領域１０２とかかと領域１０３との大略的に３つの領域に分割してもよい。足先領域１０１は、大略的に、つま先、および中足骨と指骨とを接続する関節に対応する履物１００の部分を含んでいる。中足領域１０２は、大略的に、足のアーチ区域に対応する履物１００の部分を含んでいる。かかと領域１０３は、大略的に、踵骨を含めて足の後部に対応している。履物１００は外側側部１０４および内側側部１０５も含んでおり、領域１０１〜１０３のそれぞれを通って延びており、履物１００の両側に対応する。より具体的には、外側側部１０４は足の外側部位に対応し（つまり、反対の足から遠ざかる方を向く面）、内側側部１０５は足の内側部位に対応する（つまり、反対の足の方を向く面）。領域１０１〜１０３および側部１０４〜１０５は履物１００の厳密な区域を区切ることを意図していない。むしろ、領域１０１〜１０３および側部１０４〜１０５は、以下の説明の助けになるように、履物１００の大略的な区域を表すことを意図している。履物１００に加えて、領域１０１〜１０３および側部１０４〜１０５はソール構造１１０、アッパー１２０およびそれらの個々の要素に適用してもよい。
【００２６】
ソール構造１１０はアッパー１２０に固定されていて、履物１００を履いたときに足と地面との間に延びる。ソール構造１１０の主要な要素はミッドソール１１１、アウトソール１１２、および中敷き１１３である。ミッドソール１１１はアッパー１２０の下面に固定されて、歩いているとき、走っているとき、または他の歩行活動中に足と地面との間で圧縮されると、地面の反力を弱める（つまり、クッション材となる）圧縮可能なポリマー発泡体要素（例、ポリウレタンまたはエチルビニルアセテート発泡体）から形成してもよい。さらなる構成では、ミッドソール１１１は、さらに力を弱め、安定性を高め、足の動きに影響を与えるプレート、モデレータ、液体充填チャンバ、ラスティング要素、もしくはモーションコントロール部材を組み込んでもよく、またはミッドソール２１は主に液体充填チャンバから形成してもよい。アウトソール１１２はミッドソール１１１の下面に固定されて、牽引力を付与するように織られた耐摩耗性のゴム材料から形成してもよい。中敷き１１３はアッパー１２０内に配置されていて、足の下面の下に延びて履物１００の快適性を高めるように位置付けられている。ソール構造１１０のこの構成はアッパー１２０と接続して使用してもよいソール構造の一実施例を提供しているが、ソール構造１１０のさまざまな他の従来の構成または従来にない構成も利用してもよい。したがって、ソール構造１１０またはアッパー１２０とともに利用されるソール構造の特徴は大幅に変わってもよい。
【００２７】
アッパー１２０は、ソール構造１１０に対して足を受け入れて固定するための空洞を履物１００内に画定する。空洞は足を収容するような形状にされており、足の外側側部に沿い、足の内側側部に沿い、足の上、かかとの周り、さらに足の下に延びている。空洞へのアクセスは、少なくともかかと領域１０３に配置されている足首開口部１２１により提供される。締めひも１２２がアッパー１２０のさまざまな開口１２３を通って延びており、着用者がアッパー１２０の寸法を調整してさまざまなプロポーションの足を収容できるようにする。さらに具体的には、締めひも１２２は着用者が足の周りにアッパー１２０を締めつけることができるようにし、締めひも１２２は着用者の空洞からの（つまり、足首開口部１２１を通して）足の出し入れを容易にするために、アッパー１２０を緩めることができる。さらに、アッパー１２０は締めひも１２２および開口１２３の下に延びて履物１００の快適性を高めるベロ１２４を含んでいる。さらなる構成では、アッパー１２０は、（ａ）かかと領域１０３に安定性を高めるヒールカウンタ、（ｂ）足先領域１０１に耐摩耗性材料で形成されているつま先ガード、ならびに（ｃ）ロゴ、商標、および注意書きおよび材料情報を記載した札などの追加要素を含んでいてもよい。
【００２８】
従来の履物のアッパーの多くは、例えば縫製または接着により接合されている多数の材料要素（例、織物、ポリマー発泡体、ポリマーシート、革、合成皮革）から形成されている。対して、アッパー１２０の大部分はニット構成要素１３０から形成されており、領域１０１〜１０３のそれぞれを通って、外側側部１０４および内側側部１０５の両方に沿い、足先領域１０１の上、さらにかかと領域１０３の周りに延びている。くわえて、ニット構成要素１３０はアッパー１２０の外面および対向する内面の両方の部分を形成している。このように、ニット構成要素１３０はアッパー１２０内に空洞の少なくとも一部を画成している。いくつかの構成では、ニット構成要素１３０は足の下にも延びていてもよい。しかし、図４Ａ〜図４Ｃを参照すると、ストローベル式中敷き１２５がニット構成要素１３０およびミッドソール１１１の上面に固定されており、それにより中敷き１１３の下に延びているアッパー１２０の一部を形成している。
【００２９】
〈ニット構成要素の構成〉
図５および図６では、ニット構成要素１３０は履物１００の残りの部分とは別に図示されている。ニット構成要素１３０は一体ニット構造から形成されている。本明細書で利用するように、ニット構成要素（例、ニット構成要素１３０）は、編みプロセスでワンピース要素として形成されると、「一体ニット構造」から形成されていると定義される。すなわち、編みプロセスは、大幅な追加の製造工程またはプロセスの必要なく、ニット構成要素１３０のさまざまな特徴および構造を実質的に形成する。ニット構成要素１３０の部分は編みプロセス後に互いに接合してもよいが（例、ニット構成要素１３０の縁部を互いに接合する）、ニット構成要素１３０はワンピースニット要素として形成されているため、依然として一体ニット構造から形成されたままである。また、ニット構成要素１３０は、編みプロセス後に他の要素（例、締めひも１２２、ベロ１２４、ロゴ、商標、注意書きおよび材料情報を記載した札）を追加しても、依然として一体ニット構造から形成されたままである。
【００３０】
ニット構成要素１３０の主要な要素はニット要素１３１およびインレイストランド１３２である。ニット要素１３１は、さまざまなコースおよびウェールを画成する複数の互いにかみ合うループを形成するように操作される（例、編み機を用いて）少なくとも１本のヤーンから形成されている。すなわち、ニット要素１３１はニット布地の構造を有する。インレイストランド１３２はニット要素１３１を通って延びており、ニット要素１３１内のさまざまなループの間を通っている。インレイストランド１３２は一般にニット要素１３１内のコースに沿って延びているが、インレイストランド１３２はニット要素１３１のウェールに沿って延びていてもよい。インレイストランド１３２の利点は、支持、安定性および構造を提供することが含まれる。例えば、インレイストランド１３２はアッパー１２０を足の周りに固定するのを助け、アッパー１２０の区域での変形を制限し（例、耐伸張性を付与する）、締めひも１２２と連動して履物１００のフィット性を高める。
【００３１】
ニット要素１３１は、周縁部１３３、１対のかかと縁部１３４および内側縁部１３５により輪郭が描かれる略Ｕ字形の構成を有する。履物１００に組み込まれるとき、周縁部１３３はミッドソール１１１の上面に載せて、ストローベル式中敷き１２５に接合される。かかと縁部１３４は互いに接合されており、かかと領域１０３に垂直に延びている。履物１００のいくつかの構成では、材料要素はかかと縁部１３４間の縫い目を覆って、縫い目を補強するとともに、履物１００の美観的な魅力を高めてもよい。内側縁部１３５は足首開口部１２１を形成して、締めひも１２２、開口１２３およびベロ１２４が配置される区域まで前方に延びている。くわえて、ニット要素１３１は第１面１３６と対向する第２面１３７とを有する。第１面１３６はアッパー１２０の外面の一部を形成するのに対し、第２面１３７はアッパー１２０の内面の一部を形成するので、アッパー１２０内に空洞の少なくとも一部を画成する。
【００３２】
前述したように、インレイストランド１３２はニット要素１３１を通って延びており、ニット要素１３１内のさまざまなループの間を通過している。より具体的には、インレイストランド１３２はニット要素１３１のニット構造内に配置されており、これは図７Ａ〜図７Ｄに図示するように、インレイストランド１３２の区域で、面１３６および面１３７との間に単一の布地層の構成を有していてもよい。そのため、ニット構成要素１３０が履物１００に組み込まれるとき、インレイストランド１３２はアッパー１２０の外面と内面との間に配置される。いくつかの構成では、インレイストランド１３２の部分は可視でき、または面１３６および１３７の一方もしくは両方に露出していてもよい。例えば、インレイストランド１３２は面１３６および１３７の一方に載せてもよく、またはニット要素１３１はインレイストランドが通過する凹みもしくは開口を形成していてもよい。インレイストランド１３２を面１３６と面１３７との間に配置させる利点は、ニット要素１３１がインレイストランド１３２の擦過およびスナッギングを保護することである。
【００３３】
図５および図６を参照すると、インレイストランド１３２は周縁部１３３から内側縁部１３５に向かって、１つの開口１２３の側部に隣接して、開口１２３の少なくとも一部を周って、反対側まで、さらに周縁部１３３に戻るように繰り返し延びている。ニット構成要素１３０が履物１００に組み込まれるとき、ニット要素１３１はアッパー１２０のスロート区域（つまり、締めひも１２２、開口１２３およびベロ１２４が配置されている場所）から、アッパー１２０の下側区域（つまり、ニット要素１３１がソール構造１１０と合わさる場所）まで延びている。この構成では、インレイストランド１３２もスロート区域から下側区域まで延びている。より具体的には、インレイストランドはスロート区域から下側区域までニット要素１３１を繰り返し通過している。
【００３４】
ニット要素１３１はさまざまな方法で形成してもよいが、ニット構造のコースはインレイストランド１３２と略同じ方向に延びている。すなわち、コースはスロート区域と下側区域との間に延びる方向に延びていてもよい。このように、インレイストランド１３２の大部分はニット要素１３１内のコースに沿って延びている。しかし、開口１２３に隣接する区域では、インレイストランド１３２はニット要素１３１内のウェールに沿って延びていてもよい。より具体的には、内側縁部１３５に平行なインレイストランド１３２の区間はウェールに沿って延びていてもよい。
【００３５】
前述したように、インレイストランド１３２はニット要素１３１を繰り返し通過している。図５および図６を参照すると、インレイストランド１３２は周縁部１３３でもニット要素１３１を出てから、周縁部１３３の別の場所でニット要素１３１に再進入することを繰り返しており、それによって周縁部１３３に沿ってループを形成している。この構成の利点は、スロート区域と下側区域との間に延びているインレイストランド１３２の各区間を、履物１００の製造プロセス中に独立して緊張、弛緩またはその他調整してもよいことである。すなわち、ソール構造１１０をアッパー１２０に固定する前に、インレイストランド１３２の区間を適切な張力になるように独立して調整してもよい。
【００３６】
ニット要素１３１と比べて、インレイストランド１３２はより大きな耐伸張性を呈してもよい。すなわち、インレイストランド１３２はニット要素１３１よりも伸張しなくてもよい。インレイストランド１３２の多数の区間がアッパー１２０のスロート区域からアッパー１２０の下側区域まで延びていることを考えると、インレイストランド１３２はスロート区域と下側区域との間のアッパー１２０の部分に耐伸張性を付与する。また、締めひも１２２に張力を加えることでインレイストランド１３２に張力を付与し、それによりスロート区域と下側区域との間のアッパー１２０の部分を足に当てるように誘導してもよい。このように、インレイストランド１３２は締めひも１２２と連動して、履物１００のフィット性を高める。
【００３７】
ニット要素１３１は、アッパー１２０の個別区域に異なる特性を付与するさまざまな種類のヤーンを組み込んでもよい。すなわち、ニット要素１３１のある区域を第１特性セットを付与する第１種のヤーンから形成してもよく、ニット要素１３１の別の区域を第２特性セットを付与する第２種のヤーンから形成してもよい。この構成では、ニット要素１３１の異なる区域に特定のヤーンを選択することにより、アッパー１２０全体で特性を変えてもよい。特定の種類のヤーンがニット要素１３１の一区域に付与することになる特性は、ヤーン内のさまざまなフィラメントおよびファイバを形成している材料に部分的に依存する。例えば、綿は柔らかな手触り、自然な美観、および生物分解性を提供する。エラステインおよび伸縮性ポリエステルは、それぞれ実質的な伸縮性および復元力を提供し、伸縮性ポリエステルはリサイクル可能性も提供する。レーヨンは光沢に優れ、吸湿性を提供する。ウールも断熱性および生物分解性に加えて、高い吸湿性を提供する。ナイロンは耐久性があり耐擦過性材料で、比較的強度が高い。ポリエステルは疎水性の材料で、比較的高い耐久性も提供する。材料に加えて、ニット要素１３１のために選択されるヤーンの他の側面がアッパー１２０の特性に影響することもある。例えば、ニット要素１３１を形成するヤーンは単繊維または多繊維ヤーンであってもよい。ヤーンはそれぞれ異なる材料から形成される個別のフィラメントを含んでいてもよい。くわえて、ヤーンは、鞘芯構成を有するフィラメントまたは異なる材料から形成される２種類のフィラメントを用いた複合ヤーンなど、それぞれ２以上の異なる材料から形成されるフィラメントを含んでいてもよい。撚りおよび捲縮の程度を異ならせること、ならびにデニールを異ならせることでもアッパー１２０の特性に影響を与えてもよい。したがって、ヤーンを形成する材料およびヤーンの他の側面の両方を、アッパー１２０の個別区域にさまざまな特性を付与するために選択してもよい。
【００３８】
ニット要素１３１を形成するヤーンと同様、インレイストランド１３２の構造も大幅に変化させてもよい。ヤーンに加えて、インレイストランド１３２は、例えば、フィラメント（例、単繊維）、スレッド、ロープ、帯、ケーブル、または鎖の構成を有していてもよい。ニット要素１３１を形成するヤーンと比べて、インレイストランド１３２の厚みは厚くてもよい。いくつかの構成では、インレイストランド１３２はニット要素１３１のヤーンよりも大幅に厚い厚みを有してもよい。インレイストランド１３２の断面形状は丸形でもよいが、三角形、正方形、長方形、楕円形または不規則な形状を利用してもよい。また、インレイストランド１３２を形成する材料は、綿、エラステイン、ポリエステル、レーヨン、ウールおよびナイロンなど、ニット要素１３１内のヤーンの材料のいずれを含んでいてもよい。前述したように、インレイストランド１３２はニット要素１３１よりも大きい耐伸縮性を示してもよい。このように、インレイストランド１３２に適した材料は、ガラス、アラミド（例、パラアラミドおよびメタアラミド）、超高分子量ポリエチレン、ならびに液晶ポリマーを含め、高引張り強さの用途で利用されるさまざまな工学的フィラメントを含んでいてもよい。別の例として、インレイストランド１３２としてポリエステル製組糸を利用してもよい。
【００３９】
ニット構成要素１３０の一部に適した構成の実施例を図８Ａに図示している。この構成では、ニット要素１３１は複数の水平コースおよび垂直ウェールを画定する複数の互いにかみ合うループを形成するヤーン１３８を含んでいる。インレイストランド１３２はコースの１つに沿って延びており、（ａ）ヤーン１３８から形成されるループの背後と（ｂ）ヤーン１３８から形成されるループの前とに交互に配置されている。実際には、インレイストランド１３２はニット要素１３１によって形成される構造を縫うように通っている。この構成ではヤーン１３８はコースのそれぞれを形成するが、追加のヤーンが１以上のコースを形成してもよく、または１以上のコースの一部を形成してもよい。
【００４０】
ニット構成要素１３０の一部に適した構成の別の実施例を図８Ｂに図示している。この構成では、ニット要素１３１はヤーン１３８と別のヤーン１３９とを含んでいる。ヤーン１３８および１３９は添え糸編みされて、複数の水平コースおよび垂直ウェールを画定する複数の互いにかみ合うループを共同で形成している。すなわち、ヤーン１３８および１３９は互いに平行に走行している。図８Ａの構成と同様に、インレイストランド１３２はコースのうちの１つに沿って延びており、（ａ）ヤーン１３８および１３９から形成されるループの背後と、（ｂ）ヤーン１３８および１３９から形成されるループの前との間に交互に配置されている。この構成の利点は、ヤーン１３８および１３９のそれぞれの特性がニット構成要素１３０のこの区域に存在してもよいことである。例えば、ヤーン１３８の色が主にニット要素１３１のさまざまな編み目の表面に現れ、ヤーン１３９の色が主にニット要素１３１のさまざまな編み目の裏面に現れるとすれば、ヤーン１３８および１３９は異なる色を有していてもよい。別の実施例として、ヤーン１３８が主に第１面１３６に現れ、ヤーン１３９が主に第２面１３７に現れるとすれば、ヤーン１３９はヤーン１３８よりも柔らかく、足に対してより快適なヤーンから形成してもよい。
【００４１】
図８Ｂの構成に続くと、ヤーン１３８は熱硬化性ポリマーおよび天然繊維（例、綿、ウール、絹）のうちの少なくとも１つから形成してもよく、一方ヤーン１３９は熱可塑性ポリマー材料から形成してもよい。一般に、熱可塑性ポリマー材料は加熱すると溶け、冷却すると固体状態に戻る。より具体的には、熱可塑性ポリマー材料は十分な熱を受けると固体状態から軟化した状態または液体状態に遷移し、さらに熱可塑性ポリマー材料は十分に冷却すると軟化した状態または液体状態から固体状態に遷移する。このように、熱可塑性ポリマー材料は２つの物体または要素を接合するためにしばしば使用される。この場合、ヤーン１３９は、例えば、（ａ）ヤーン１３８のある部分をヤーン１３８の別の部分に、（ｂ）ヤーン１３８とインレイストランド１３２とを互いに、または（ｃ）別の要素（例、ロゴ、商標、ならびに注意書きおよび材料情報を記載した札）をニット構成要素１３０に接合するために利用してもよい。このように、ヤーン１３９は、ニット構成要素１３０の部分を互いに融着またはその他接合するために使用してもよいのであれば、融着性ヤーンと考えてもよい。また、ヤーン１３８は、一般にニット構成要素１３０の部分を互いに融着またはその他接合できる材料から形成されていないのであれば、非融着性ヤーンと考えてもよい。すなわち、ヤーン１３８は非融着性ヤーンとしてもよく、一方ヤーン１３９は融着性ヤーンとしてもよい。ニット構成要素１３０のいくつかの構成では、ヤーン１３８（つまり、非融着性ヤーン）は実質的に熱硬化性ポリエステル材料から形成してもよく、ヤーン１３９（つまり、融着性ヤーン）は少なくとも部分的に熱可塑性ポリエステル材料から形成してもよい。
【００４２】
添え糸編みしたヤーンの使用はニット構成要素１３０に利点を付与することがある。ヤーン１３９を加熱して、ヤーン１３８およびインレイストランド１３２に融着する場合、このプロセスはニット構成要素１３０の構造を剛くまたは堅くする効果を有することがある。また、（ａ）ヤーン１３８のある部分をヤーン１３８の別の部分に、または（ｂ）ヤーン１３８とインレイストランド１３２を互いに接合すると、ヤーン１３８およびインレイストランド１３２の相対的な位置を固定またはロックする効果を有し、それにより耐伸張性および剛性を付与する。すなわち、ヤーン１３８の部分はヤーン１３９と融着しても互いに対して滑らず、それによりニット構造の相対的な動きによるニット要素１３１のねじれまたは永久的な伸びを防止する。別の利点は、ニット構成要素１３０の一部が傷んできた、またはヤーン１３８の１つが切れる場合にほつれを制限することに関わる。また、インレイストランド１３２はニット要素１３１に対して滑ることがなく、それによりインレイストランド１３２の部分がニット要素１３１から外側に引っ張られるのを防止する。したがって、ニット構成要素１３０の区域は、ニット要素１３１内に融着性ヤーンおよび非融着性ヤーンを両方使用することで利益が生まれるであろう。
【００４３】
ニット構成要素１３０の別の側面は、足首開口部１２１に隣接し、足首開口部１２１の周りに少なくとも部分的に延びているパッド入り区域に関わる。図７Ｅを参照すると、パッド入り区域は、一体ニット構造から形成してもよい、重複して少なくとも部分的に同一の広がりをもつ２つのニット層１４０と、ニット層１４０間に延びている複数のフローティングヤーン１４１とによって形成されている。ニット層１４０の側部または縁部は互いに固定されているが、中央区域は一般に固定されていない。このように、ニット層１４０はチューブまたは筒状構造を効果的に形成し、フローティングヤーン１４１は筒状構造を貫通するようにニット層１４０間に配置され、または挿入されてもよい。すなわち、フローティングヤーン１４１はニット層１４０間に延びており、ニット層１４０の表面に略平行で、さらにニット層１４０間を貫通してその内部空間を埋める。ニット要素１３１の大部分は機械操作されるヤーンから形成して、互いにかみ合うループを形成するが、フローティングヤーン１４１は一般にニット層１４０間の内部空間内で自由であり、またはその他挿入されている。追加事項として、ニット層１４０は少なくとも部分的にストレッチヤーンから形成してもよい。この構成の利点は、ニット層がフローティングヤーン１４１を効果的に圧縮し、足首開口部１２１に隣接するパッド入り区域に弾性性質を提供することである。すなわち、ニット層１４０内のストレッチヤーンはニット構成要素１３０を形成する編みプロセス中に緊張状態で配置され、それによりニット層１４０をフローティングヤーン１４１を圧縮するように誘導してもよい。ストレッチヤーンの伸縮性の程度は大幅に変えてもよいが、ニット構成要素１３０の多くの構成においてストレッチヤーンは少なくとも百パーセント伸縮してもよい。
【００４４】
フローティングヤーン１４１の存在は足首開口部１２１に隣接するパッド入り区域に圧縮可能な性質を付与し、それにより履物１００の足首開口部１２１の区域の快適性を高める。多くの従来の履物製品はポリマー発泡体要素または他の圧縮可能な材料を足首開口部に隣接する区域に組み込んでいる。従来の履物製品に対し、一体ニット構造から形成するニット構成要素１３０の部分はニット構成要素１３０の残りの部分とともに、足首開口部１２１に隣接するパッド入り区域を形成してもよい。履物１００のさらなる構成において、ニット構成要素１３０の他の区域に同様なパッド入り区域を配置してもよい。例えば、関節にパッドを付与するために、中足骨と近位指骨との間の関節に対応する区域として同様なパッド入り区域を配置してもよい。あるいは、アッパー１２０の区域にある程度のパッドを付与するために、テリーループ構造を利用してもよい。
【００４５】
上記の説明に基づき、ニット構成要素１３０はアッパー１２０にさまざまな特徴を付与する。また、ニット構成要素１３０はいくつかの従来のアッパー構成より優れたさまざまな利点を提供する。前述したように、従来の履物のアッパーは、例えば縫製または接着により接合される複数の材料要素（例、布地、ポリマー発泡体、ポリマーシート、革、合成皮革）から形成されている。アッパーに組み込まれる材料要素の数および種類が増えるほど、材料要素を輸送、保管、切断および接合することに関連する時間および費用も増大するであろう。切断および縫製プロセスから出る廃材も、アッパーに組み込まれる材料要素の数および種類が増えるほど、より多く蓄積する。また、材料要素の数が多いアッパーは、種類および数が少ない材料要素から形成されているアッパーよりもリサイクルが難しくなるであろう。そのため、アッパーに利用される材料要素の数を減らすことにより、アッパーの製造効率およびリサイクル性を高めながら廃棄物が減少するであろう。このために、ニット構成要素１３０は、製造効率を高め、廃棄物を減少し、リサイクル性を簡単にしながら、アッパー１２０の実質的な部分を形成する。
【００４６】
〈さらなるニット構成要素の構成〉
ニット構成要素１５０が図９および図１０に図示されており、履物１００のニット構成要素１３０の代わりに利用してもよい。ニット構成要素１５０の主要な要素は、ニット要素１５１およびインレイストランド１５２である。ニット要素１５１は操作される（例、編み機を用いて）少なくとも１本のヤーンから形成され、さまざまなコースおよびウェールを画定する複数の互いにかみ合うループを形成する。すなわち、ニット要素１５１はニット布地の構造を有する。インレイストランド１５２はニット要素１５１を通って延びており、ニット要素１５１内のさまざまなループの間を通過している。インレイストランド１５２は大略的にニット要素１５１内のコースに沿って延びているが、インレイストランド１５２はニット要素１５１内のウェールに沿って延びていてもよい。インレイストランド１３２と同様、インレイストランド１５２は耐伸張性を付与し、履物１００に組み込まれると、締めひも１２２と連動して履物１００のフィット性を高める。
【００４７】
ニット要素１５１は、周縁部１５３、１対のかかと縁部１５４および内側縁部１５５によって輪郭が描かれる略Ｕ字形の構成を有する。くわえて、ニット要素１５１は第１面１５６および対向する第２面１５７を有する。第１面１５６はアッパー１２０の外面の一部を形成してもよく、一方、第２面１５７はアッパー１２０の内面の一部を形成してもよいため、アッパー１２０内に空洞の少なくとも一部を画定する。多くの構成では、ニット要素１５１はインレイストランド１５２の区域で単一の布地層の構成を有していてもよい。すなわち、ニット要素１５１は面１５６と面１５７との間の単一の布地層であってもよい。くわえて、ニット要素１５１は複数の開口１５８を画定する。
【００４８】
インレイストランド１３２と同様に、インレイストランド１５２は周縁部１５３から内側縁部１５５に向かって、少なくとも部分的に開口１５８の１つを周って、さらに周縁部１５３に戻るように繰り返し延びている。しかし、インレイストランド１３２と対照的に、インレイストランド１５２のある部分は後方に角度をつけて曲がり、かかと縁部１５４まで延びている。より具体的には、最後方の開口１５８に関連するインレイストランド１５２の部分は、かかと縁部１５４の１つから内側縁部１５５に向かって、少なくとも部分的に最後方の開口１５８を周って、さらにかかと縁部１５４の１つに戻るように延びている。さらに、インレイストランド１５２のいくつかの部分は開口１５８の１つの周りに延びていない。さらに具体的には、インレイストランド１５２のいくつかの区画は内側縁部１５５に向かって延びており、開口１５８の１つに隣接する区域で方向転換して、周縁部１５３またはかかと縁部１５４の１つに向かって戻るように延びている。
【００４９】
ニット要素１５１はさまざまな方法で形成してもよいが、ニット構造のコースは大略的にインレイストランド１５２と同じ方向に延びている。しかし、開口１５８に隣接する区域では、インレイストランド１５２はニット要素１５１内のウェールに沿って延びていてもよい。より具体的には、内側縁部１５５に平行なインレイストランド１５２の区画はウェールに沿って延びていてもよい。
【００５０】
ニット要素１５１と比べ、インレイストランド１５２はより大きな耐伸張性を示してもよい。すなわち、インレイストランド１５２はニット要素１５１よりも伸張しなくてもよい。インレイストランド１５２の多数の区画がニット要素１５１を通って延びているのであれば、インレイストランド１５２はスロート区域と下側区域との間のアッパー１２０の部分に耐伸張性を付与してもよい。また、締めひも１２２に張力をかけることでインレイストランド１５２に張力を付与し、それによってスロート区域と下側区域との間のアッパー１２０の部分を足に当てるように誘導してもよい。さらに、インレイストランド１５２の多数の区画がかかと縁部１５４に向かって延びているのであれば、インレイストランド１５２はアッパー１２０のかかと領域１０３の部分に耐伸張性を付与してもよい。また、締めひも１２２に張力をかけることで、かかと領域１０３のアッパー１２０の部分が足に当たるように誘導してもよい。このように、インレイストランド１５２は締めひも１２２と連動して、履物１００のフィット性を高める。
【００５１】
ニット要素１５１は、ニット要素１３１について上記説明したさまざまな種類のヤーンのいずれを組み込んでもよい。インレイストランド１５２も、インレイストランド１３２について上記説明した構成および材料のいずれから形成してもよい。さらに、図８Ａおよび図８Ｂに関して説明したさまざまなニット構成も、ニット構成要素１５０で利用してもよい。より具体的には、ニット要素１５１は単一のヤーン、２種類を添え糸編みしたヤーン、または融着性ヤーンおよび非融着性ヤーンから形成される区域を有していてもよく、融着性ヤーンが、（ａ）非融着性ヤーンのある部分を非融着性ヤーンの別の部分に、または（ｂ）非融着性ヤーンとインレイストランド１５２を互いに接合する。
【００５２】
ニット要素１３１の大部分は、比較的テクスチャード加工していない布地、共通または単一ニット構造（例、筒状ニット構造）から形成されているように図示されている。対して、ニット要素１５１はニット構成要素１５０の異なる区域に特定の特性および利点を付与するさまざまなニット構造を組み込んでいる。また、さまざまなヤーンの種類をニット構造と組み合わせることにより、ニット構成要素１５０はアッパー１２０の異なる区域に幅広い特性を付与してもよい。図１１を参照すると、ニット構成要素１５０の模式図は異なるニット構造を有するさまざまなゾーン１６０〜１６９を示しており、そのそれぞれをここで詳細に説明していく。参照のために、図１１では、領域１０１〜１０３および側部１０４および１０５のそれぞれは、ニット構成要素１５０が履物１００に組み込まれたときに、ニットゾーン１６０〜１６９の位置の参照となるように示している。
【００５３】
筒状ニットゾーン１６０は、周縁部１５３の大部分に沿って、側部１０４および１０５の両方の領域１０１〜１０３のそれぞれを通って延びている。筒状ニットゾーン１６０は、領域１０１および１０２の境界にほぼ配置されている区域で側部１０４および１０５のそれぞれから内側にも延びて、内側縁部１５５の前方部分を形成している。筒状ニットゾーン１６０は比較的テクスチャード加工していないニット構成を形成している。図１２Ａを参照すると、筒状ニットゾーン１６０の区域を通る断面が図示されており、面１５６および１５７は互いに実質的に平行である。筒状ニットゾーン１６０は履物１００にさまざまな利点を付与する。例えば、筒状ニットゾーン１６０は、特に筒状ニットゾーン１６０のヤーンを融着性ヤーンで添え糸編みすると、他のいくつかのニット構造よりも耐久性および耐摩耗性がある。さらに、筒状ニットゾーン１６０の比較的テクスチャード加工していない性質はストローベル式中敷き１２５を周縁部１５３に接合するプロセスを簡単にする。すなわち、周縁部１５３に沿って配置されている筒状ニットゾーン１６０の部分は、履物１００のラスティングプロセスを容易にする。参照のために、図１３Ａは筒状ニットゾーン１６０を編みプロセスで形成する態様のループ図を図示している。
【００５４】
２つのストレッチニットゾーン１６１が周縁部１５３から内側に延びており、足の中足骨と近位指骨との間の関節の位置に対応するように配置されている。すなわち、ストレッチゾーンは、領域１０１および１０２の境界にほぼ配置されている区域で周縁部から内側に延びている。筒状ニットゾーン１６０と同様に、ストレッチニットゾーン１６１のニット構成は筒状ニット構造にしてもよい。しかし、筒状ニットゾーン１６０と対照的に、ストレッチニットゾーン１６１はニット構成要素１５０に伸縮性および復元性を付与するストレッチヤーンから形成されている。ストレッチヤーンの伸縮性の程度は大幅に変わってもよいが、ニット構成要素１５０の多くの構成においてストレッチヤーンは少なくとも百パーセント伸縮してもよい。
【００５５】
筒状の両面（インターロック）タックニットゾーン１６２が、少なくとも中足領域１０２の内側縁部１５５の部分に沿って延びている。筒状の両面タックニットゾーン１６２も比較的テクスチャード加工していないニット構成を形成するが、筒状ニットゾーン１６０よりも厚い厚みを有する。断面では、筒状の両面タックニットゾーン１６２は図１２Ａと類似しており、面１５６および１５７は互いに実質的に平行である。筒状の両面タックニットゾーン１６２は履物１００にさまざまな利点を付与する。例えば、筒状の両面タックニットゾーン１６２は他のいくつかのニット構造よりも耐伸張性があり、締めひも１２２が筒状の両面タックニットゾーン１６２およびインレイストランド１５２に張力をかけるとき有利である。参照のために、図１３Ｂは、筒状の両面タックニットゾーン１６２を編みプロセスで形成する態様のループ図を図示している。
【００５６】
１×１メッシュのニットゾーン１６３が足先領域１０１に配置されて、周縁部１５３から内側に離れている。１×１メッシュのニットゾーンは、図１２Ｂに図示するように、Ｃ字形の構成を有し、ニット要素１５１を通って、第１面１５６から第２面１５７まで延びている複数の開口を形成している。開口はニット構成要素１５０の通気性を高め、空気をアッパー１２０に進入させ、水分をアッパー１２０から逃がすことができる。参照のために、図１３Ｃは、１×１メッシュのニットゾーン１６３を編みプロセスで形成する態様のループ図を図示している。
【００５７】
２×２メッシュのニットゾーン１６４が１×１メッシュのニットゾーン１６３に隣接して延びている。１×１メッシュのニットゾーン１６３と比べて、２×２メッシュのニットゾーン１６４はより大きな開口を形成し、ニット構成要素１５０の通気性をさらに高めるであろう。参照のために、図１３Ｄは、２×２メッシュのニットゾーン１６４を編みプロセスで形成する態様のループ図を図示している。
【００５８】
３×２メッシュのニットゾーン１６５が２×２メッシュのニットゾーン１６４内に配置されており、別の３×２メッシュのニットゾーン１６５がストレッチゾーン１６１の１つに隣接して配置されている。１×１メッシュのニットゾーン１６３および２×２メッシュのニットゾーン１６４と比べて、３×２メッシュのニットゾーン１６５はさらに大きな開口を形成し、ニット構成要素１５０の通気性をさらに高めるであろう。参照のために、図１３Ｅは、３×２メッシュのニットゾーン１６５を編みプロセスで形成する態様のループ図を図示している。
【００５９】
１×１モックメッシュのニットゾーン１６６が足先領域１０１に配置されており、１×１メッシュのニットゾーン１６３の周りに延びている。ニット要素１５１を通る開口を形成するメッシュのニットゾーン１６３〜１６５と対照的に、図１２Ｃに図示するように、１×１モックメッシュのニットゾーン１６６は第１面１５６に凹みを形成する。履物１００の美観を向上させることに加えて、１×１モックメッシュのニットゾーン１６６はニット構成要素１５０の柔軟性を高めるとともに、全体の質量を減少させる。参照のために、図１３Ｆは、１×１モックメッシュのニットゾーン１６６を編みプロセスで形成する態様のループ図を図示している。
【００６０】
２つの２×２モックメッシュのニットゾーン１６７がかかと領域１０３に、かかと縁部１５４に隣接して配置されている。１×１モックメッシュのニットゾーン１６６と比べて、２×２モックメッシュのニットゾーン１６７は第１面１５６により大きな凹みを形成する。図１２Ｄに図示するように、インレイストランド１５２が２×２モックメッシュのニットゾーン１６７の凹みを通って延びている区域では、インレイストランド１５２は見えて、凹みの下側区域に露出されるであろう。参照のために、図１３Ｇは、２×２モックメッシュのニットゾーン１６７を編みプロセスで形成する態様のループ図を図示している。
【００６１】
２つの２×２ハイブリッドニットゾーン１６８が中足領域１０２に、２×２モックメッシュのニットゾーン１６７の前方に配置されている。２×２ハイブリッドニットゾーン１６８は２×２メッシュのニットゾーン１６４および２×２モックメッシュのニットゾーン１６７の特徴を共有する。より具体的には、２×２ハイブリッドニットゾーン１６８は２×２メッシュのニットゾーン１６４のサイズおよび構成を有する開口を形成するとともに、２×２ハイブリッドニットゾーン１６８は２×２モックメッシュのニットゾーン１６７のサイズおよび構成を有する凹みを形成する。図１２Ｅに図示するように、インレイストランド１５２が２×２ハイブリッドニットゾーン１６８の凹みを通って延びている区域では、インレイストランド１５２は見えて露出している。参照のために、図１３Ｈは、２×２ハイブリッドニットゾーン１６８を編みプロセスで形成する態様のループ図を図示している。
【００６２】
ニット構成要素１５０は、ニット構成要素１３０について上記説明した足首開口部１２１に隣接して、少なくとも部分的に足首開口部１２１の周りに延びているパッド入り区域の一般構成を有する２つのパッド入りゾーン１６９を含んでいてもよい。このように、パッド入りゾーン１６９は、一体ニット構造から形成してもよい２つの重複して少なくとも部分的に同一の広がりをもつニット層と、ニット層の間に延びている複数のフローティングヤーンとによって形成されている。
【００６３】
図９および図１０との比較から、ニット要素１５１のテクスチャリングの大部分は、第２面１５７ではなく、第１面１５６に配置されていることが明らかになる。すなわち、モックメッシュのニットゾーン１６６および１６７により形成される凹み、ならびに２×２ハイブリッドニットゾーン１６８の凹みは、第１面１５６に形成される。この構成は履物１００の快適性を高めるという利点を有する。より具体的には、この構成は第２面１５７の比較的テクスチャード加工していない構成を足に当てる。図９と図１０とのさらなる比較から、インレイストランド１５２の部分は第１面１５６で露出しているが、第２面１５７では露出していないことが明らかになる。この構成も履物１００の快適性を高めるという利点を有する。さらに具体的には、インレイストランド１５２をニット要素１５１の一部により足から離すことにより、インレイストランド１５２が足に接触することはない。
【００６４】
ニット構成要素１３０の追加構成を図１４Ａ〜図１４Ｃに図示している。ニット構成要素１３０に関係して説明するが、これらの構成のそれぞれに関連する概念はニット構成要素１５０にも利用してもよい。図１４Ａを参照すると、インレイストランド１３２はニット構成要素１３０にはない。インレイストランド１３２はニット構成要素１３０の区域に耐伸張性を付与するが、いくつかの構成ではインレイストランド１３２からの耐伸張性を必要としなくてもよい。また、いくつかの構成はアッパー１２０の伸縮性が大きいことから利益を得ることがある。図１４Ｂを参照すると、ニット要素１３１はニット要素１３１の残りの部分と合わせて一体ニット構造から形成されて、周縁部１３３でニット構成要素１３０の長さに沿って延びている２つのフラップ１４２を含んでいる。履物１００に組み込む場合、フラップ１４２がストローベル式中敷き１２５に置き換わってもよい。すなわち、フラップ１４２は、中敷き１１３の下に延びて、ミッドソール１１１の上面に固定されているアッパー１２０の一部を共同で形成してもよい。図１４Ｃを参照すると、ニット構成要素１３０は中足領域１０２に制限されている構成を有する。この構成では、他の材料要素（例、布地、ポリマー発泡体、ポリマーシート、革、合成皮革）を、例えば縫製または接着によりニット構成要素１３０に接合して、アッパー１２０を形成してもよい。
【００６５】
上記の説明に基づき、ニット構成要素１３０および１５０のそれぞれは、アッパー１２０に特徴および利点を付与するさまざまな構成を有していてもよい。より具体的には、ニット要素１３１および１５１はアッパー１２０の異なる区域に特定の特性を付与するさまざまなニット構造およびヤーンの種類を組み込んでもよく、インレイストランド１３２および１５２はアッパー１２０の区域に耐伸張性を付与し、締めひも１２２と連動して履物１００のフィット性を高めるように、ニット構造を通って延びていてもよい。
【００６６】
〈編み機およびフィーダーの構成〉
編みは手で行ってもよいが、ニット構成要素の商業的な製造は一般に編み機で行われる。ニット構成要素１３０および１５０のいずれの生産にも適した編み機２００の一実施例を図１５に図示している。編み機２００は例示のためにＶベッド型横編み機の構成を有しているが、ニット構成要素１３０および１５０またはニット構成要素１３０および１５０の側面のいずれも他の種類の編み機で生産してもよい。
【００６７】
編み機２００は互いに対して角度を成すことによりＶベッドを形成している２つの針床２０１を含んでいる。針床２０１のそれぞれは共通平面上にある複数の個々の針２０２を含んでいる。すなわち、一方の針床２０１からの針２０２は第１平面にあり、他方の針床２０１からの針２０２は第２平面にある。第１平面および第２平面（つまり、２つの針床２０１）は互いに対して角度を成しており、相交わって編み機２００の幅の大部分に沿って延びている交差部を形成する。以下さらに詳細に説明するように、針２０２はそれぞれ後退する第１位置と、延伸する第２位置とを有する。第１位置では、針２０２は第１平面と第２平面とが相交わる交差部から離れている。しかし、第２位置では、針２０２は第１平面と第２平面とが相交わる交差部を通過する。
【００６８】
１対のレール２０３が針床２０１の交差部の上にかつ平行に延びており、複数の標準フィーダー２０４およびコンビネーションフィーダー２２０の装着ポイントを提供する。各レール２０３は２つの側部を有し、そのそれぞれが１つの標準フィーダー２０４または１つのコンビネーションフィーダー２２０のいずれかを収容する。このように、編み機２００は合計で４つのフィーダー２０４および２２０を含んでもよい。図示するように、最前列のレール２０３は対向する側部に１つのコンビネーションフィーダー２２０および１つの標準フィーダー２０４を含み、最後列のレール２０３は対向する側部に２つの標準フィーダー２０４を含んでいる。２本のレール２０３を図示しているが、編み機２００のさらなる構成は追加のレール２０３を組み込んで、より多くのフィーダー２０４および２２０の装着ポイントを提供してもよい。
【００６９】
キャリッジ２０５の作用により、フィーダー２０４および２２０はレール２０３および針床２０１に沿って移動し、それによって針２０２にヤーンを供給する。図１５では、ヤーン２０６はスプール２０７によってコンビネーションフィーダー２２０に供給されている。より具体的には、ヤーン２０６はスプール２０７からさまざまなヤーンガイド２０８、ヤーン引きばね２０９およびヤーンテンショナー２１０に延びてから、コンビネーションフィーダー２２０に進入する。図示していないが、ヤーンをフィーダー２０４に供給するために、追加スプール２０７を利用してもよい。
【００７０】
標準フィーダー２０４は、編み機２００などのＶベッド型横編み機で従来から利用されている。すなわち、既存の編み機は標準フィーダー２０４を組み込んでいる。各標準フィーダー２０４は針２０２が編み、タック編みおよび浮き編みするために操作するヤーンを供給する能力を有する。比較として、コンビネーションフィーダー２２０は針２０２が編み、タック編みおよび浮き編みするヤーン（例、ヤーン２０６）を供給する能力を有し、コンビネーションフィーダー２２０はヤーンを挿入する能力を有する。また、コンビネーションフィーダー２２０はさまざまな異なるストランド（例、フィラメント、スレッド、ロープ、帯、ケーブル、鎖またはヤーン）を挿入する能力を有する。したがって、コンビネーションフィーダー２２０は各標準フィーダー２０４よりも優れた汎用性を示す。
【００７１】
前述したように、コンビネーションフィーダー２２０は、ヤーンを編み、タック編みおよび浮き編みすることに加えて、ヤーンまたは他のストランドを挿入するときに利用してもよい。コンビネーションフィーダー２２０を組み込んでいない従来の編み機もヤーンを挿入してもよい。より具体的には、インレイフィーダーが供給されている従来の編み機もヤーンを挿入してもよい。Ｖベッド型横編み機の従来のインレイフィーダーは、ヤーンを挿入するために連動する２つの構成要素を含んでいる。インレイフィーダーの構成要素のそれぞれが、２つの隣接するレール上の個別の装着ポイントに固定されており、それによって２つの装着ポイントを占めている。個々の標準フィーダー２０４は１つの装着ポイントしか占めないが、インレイフィーダーを利用してヤーンをニット構成要素に挿入するときには一般に２つの装着ポイントが占められる。また、コンビネーションフィーダー２２０は１つの装着ポイントしか占めないが、従来のインレイフィーダーは２つの装着ポイントを占める。
【００７２】
編み機２００が２本のレール２０３を含んでいるのであれば、編み機２００には４つの装着ポイントが利用できる。従来のインレイフィーダーを編み機２００に利用した場合、標準フィーダー２０４には２つの装着ポイントしか利用できないであろう。しかし、編み機２００にコンビネーションフィーダー２２０を使用すると、標準フィーダー２０４に３つの装着ポイントが利用できる。したがって、ヤーンまたは他のストランドを挿入するときにコンビネーションフィーダー２２０を利用してもよく、コンビネーションフィーダー２２０は１つの装着ポイントしか占めないという利点を有する。
【００７３】
キャリア２３０、フィーダーアーム２４０および１対の作動部材２５０を含むコンビネーションフィーダー２２０を図１６〜図１９に個別に図示している。コンビネーションフィーダー２２０の大半は金属材料（例、スチール、アルミニウム、チタン）から形成してもよいが、キャリア２３０、フィーダーアーム２４０および作動部材２５０の部分は、例えば、ポリマー、セラミックまたは複合材料から形成してもよい。前述したように、コンビネーションフィーダー２２０は、ヤーンを編み、タック編みおよび浮き編みするときに加えて、ヤーンまたは他のストランドを挿入するときに利用してもよい。特に図１６を参照すると、ストランドがコンビネーションフィーダー２２０に接する態様を例示するために、ヤーン２０６の一部が図示されている。
【００７４】
キャリア２３０は略矩形の構成を有しており、４本のボルト２３３で接合されている第１カバー部材２３１および第２カバー部材２３２を含んでいる。カバー部材２３１および２３２は、フィーダーアーム２４０および作動部材２５０の部分が配置されている内部空洞を画定している。キャリア２３０はフィーダー２２０をレール２３０のうちの１本に固定するために、第１カバー部材２３１から外側に延びている装着要素２３４も含んでいる。装着要素２３４の構成は変わることがあるが、図１７に図示するように、装着要素２３４は鳩尾形状を形成する２つの離間した張出区域を含むように図示されている。レール２０３のうちの１本の逆鳩尾構成が装着要素２３４の鳩尾形状まで延びて、コンビネーションフィーダー２２０を編み機２００に効果的に接合してもよい。図１８に図示するように、第２カバー部材２３４は中心に位置して細長いスロット２３５を形成することにも留意するべきである。
【００７５】
フィーダーアーム２４０は、キャリア２３０（つまり、カバー部材２３１とカバー部材２３２との間の空洞）を通って、キャリア２３０の下側から外側に延びている略細長い構成を有する。他の要素に加えて、フィーダーアーム２４０は作動ボルト２４１と、ばね２４２と、プーリ２４３と、ループ２４４と、給糸区域２４５とを含んでいる。作動ボルト２４１はフィーダーアーム２４０から外側に延びており、カバー部材２３１とカバー部材２３２との間の空洞内に位置している。図１８に図示するように、作動ボルト２４１の片側は第２カバー部材２３２のスロット２３５内にも配置されている。ばね２４２はキャリア２３０およびフィーダーアーム２４０に固定されている、より具体的には、ばね２４２の一端がキャリア２３０に固定されており、ばね２４２の他端がフィーダーアーム２４０に固定されている。プーリ２４３、ループ２４４および給糸区域２４５がフィーダーアーム２４０に存在して、ヤーン２０６または別のストランドと接する。また、プーリ２４３、ループ２４４および給糸区域２４５は、ヤーン２０６または別のストランドがコンビネーションフィーダー２２０をスムーズに通過することを確実にし、それによって針２０２に確実に供給されるように構成されている。再び図１６を参照すると、ヤーン２０６はプーリ２４３を周り、ループ２４４を通って、給糸区域２４５に延びている。くわえて、ヤーン２０６は、フィーダーアーム２４０の末端領域である給糸先端部２４６から延びて、さらに針２０２に供給される。
【００７６】
作動部材２５０のそれぞれはアーム２５１およびプレート２５２を含んでいる。作動部材２５０の多くの構成では、各アーム２５１はプレート２５２の１枚とともにワンピース要素として形成されている。アーム２５１はキャリア２３０の外側かつキャリア２３０の上側に配置されているが、プレート２５２はキャリア２５０内に配置されている。アーム２５１のそれぞれは外側端２５３および反対の内側端２５４を画成する細長い構成を有し、アーム２５１は両内側端２５４の間の空間２５５を画成するように位置付けられている。すなわち、アーム２５１は互いに離間している。プレート２５２は略平面構成を有する。図１９を参照すると、プレート２５２のそれぞれは傾斜縁部２５７を備える開口２５６を画定する。また、フィーダーアーム２４０の作動ボルト２４１が各開口２５６に延びている。
【００７７】
前述したコンビネーションフィーダー２２０の構成は、フィーダーアーム２４０の並進運動を容易にする構造を提供する。以下さらに詳細に述べるように、フィーダーアーム２４０の並進運動は給糸先端部２４６を針床２０１の交差部の上または下の位置に選択的に位置付ける。すなわち、給糸先端部２４６は針床２０１の交差部を通って往復運動する能力を有する。フィーダーアーム２４０の並進運動の利点は、コンビネーションフィーダー２２０が、（ａ）給糸先端部２４６が針床２０１の交差部の上に位置付けられるとき、編み、タック編みおよび浮き編みをするためにヤーン２０６を供給する、ならびに（ｂ）給糸先端部２４６が針床２０１の交差部の下に位置付けられるとき、挿入するためにヤーン２０６または別のストランドを供給することである。また、フィーダーアーム２４０はコンビネーションフィーダー２２０が利用されている態様によって２つの位置の間を往復運動する。
【００７８】
針床２０１の交差部を往復運動する際、フィーダーアーム２４０は後退位置から延伸位置まで並進する。後退位置にあるとき、給糸先端部２４６は針床２０１の交差部の上に位置付けられる。延伸位置にあるとき、給糸先端部２４６は針床２０１の交差部の下に位置付けられる。フィーダーアーム２４０が延伸位置にあるときよりもフィーダーアーム２４０が後退位置にあるときの方が、給糸先端部２４６はキャリア２３０に近い。同様に、フィーダーアーム２４０が後退位置にあるときよりもフィーダーアーム２４０が延伸位置にあるときの方が、給糸先端部２４６はキャリア２３０から遠い。言い換えると、給糸先端部２４６は延伸位置ではキャリア２３０から離れるように移動し、給糸先端部２４６は後退位置にあるときはキャリア２３０に近づくように移動する。
【００７９】
図１６〜２０Ｃおよび後で説明するさらなる図面において参照のために、矢印２２１を給糸区域２４５に隣接して位置付けている。矢印２２１が上向きまたはキャリア２３０に向かう方向を指している場合、フィーダーアーム２４０は後退位置にある。矢印２２１が下向きまたはキャリア２３０から遠ざかる方向を指している場合、フィーダーアーム２４０は延伸位置にある。したがって、矢印２２１の位置を参照することにより、フィーダーアーム２４０の位置は容易に確認されるであろう。
【００８０】
フィーダーアーム２４０の自然な状態は後退位置である。すなわち、コンビネーションフィーダー２２０の区域に一切有意な力を加えなければ、フィーダーアームは後退位置にとどまる。例えば、図１６〜図１９を参照すると、コンビネーションフィーダー２２０と相互作用する力または他の影響は示されておらず、フィーダーアーム２４０は後退位置にある。しかし、アーム２５１の１つに十分な力が加わると、フィーダーアーム２４０の並進運動が生じる。より具体的には、外側端２５３の１つに十分な力が加わり、空間２５５に向けられると、フィーダーアーム２４０の並進運動が起こる。図２０Ａおよび図２０Ｂを参照すると、力２２２は外側端２５３の１つに作用して空間２５５に向けられ、フィーダーアーム２４０が延伸位置に並進したところが示されている。しかし、力２２２を取り除くと、フィーダーアーム２４０は後退位置に戻る。図２０Ｃは、内側端２５４に作用し外側に向いているときの力２２２を図示しており、フィーダーアーム２４０は後退位置にとどまっていることにも留意するべきである。
【００８１】
前述したように、フィーダー２０４および２２０は、キャリッジ２０５の作用のためにレール２０３および針床２０１に沿って移動する。より具体的には、キャリッジ２０５内の駆動ボルトがフィーダー２０４および２２０と接触して、フィーダー２０４および２２０を針床２０１に沿って押す。コンビネーションフィーダー２２０に関して、駆動ボルトは外側端２５３の１つまたは内側端２５４の１つのいずれかに接触して、コンビネーションフィーダー２２０を針床２０１に沿って押す。駆動ボルトが外側端２５３の１つに接触すると、フィーダーアーム２４０は延伸位置に並進して、給糸先端部２４６が針床２０１の交差部の下を通る。駆動ボルトが内側端２５４の１つに接触して空間２５５内に配置されると、フィーダーアーム２４０は後退位置にとどまり、給糸先端部２４６は針床２０１の交差部の上になる。したがって、キャリッジ２０５がコンビネーションフィーダー２２０に接触する区域が、フィーダーアーム２４０が後退位置にあるか、または延伸位置にあるかを決定する。
【００８２】
ここでコンビネーションフィーダー２２０の機械的作用を説明する。図１９〜図２０Ｂは、第１カバー部材２３１を取り除いて、キャリア２３０の空洞内の要素を露出した状態のコンビネーションフィーダー２２０を図示している。図１９と図２０Ａおよび図２０Ｂを比較することにより、力２２２がフィーダーアーム２４０を並進するように誘導する様子が明らかであろう。力２２２が外側端２５３の１つに作用すると、作動部材２５０の１つがフィーダーアーム２４０の長さに垂直な方向に滑動する。すなわち、作動部材２５０の１つは図１９〜図２０Ｂにおいて水平に滑動する。作動部材２５０の１つの運動が作動ボルト２４１を傾斜縁部２５７の１つに係合させる。作動部材２５０の運動がフィーダーアーム２４０の長さに垂直な方向に規制されるのであれば、作動ボルト２４１は傾斜縁部２５７に対して回転または滑動し、フィーダーアーム２４０を延伸位置に並進するように誘導する。力２２２を取り除くと、ばね２４２がフィーダーアーム２４０を延伸位置から後退位置に引く。
【００８３】
上記説明に基づくと、コンビネーションフィーダー２２０は、ヤーンまたは他のストランドが編み、タック編みもしくは浮き編みのために利用されているか、または挿入のために利用されているかに応じて、後退位置と延伸位置とを往復運動する。コンビネーションフィーダー２２０は、力２２２の印加がフィーダーアーム２４０を後退位置から延伸位置に並進させるように誘導し、力２２２の排除がフィーダーアーム２４０を延伸位置から後退位置に並進するように誘導する構成を有する。すなわち、コンビネーションフィーダー２２０は、力２２２の印加および排除がフィーダーアーム２４０を針床２０１の対向する側部の間を往復運動させる構成を有する。一般に、外側端２５３は作動区域と考えてもよく、フィーダーアーム２４０の運動を誘導する。コンビネーションフィーダー２２０のさらなる構成では、作動区域は他の位置にあってもよく、または他の刺激に応答してフィーダーアーム２４０の運動を誘導してもよい。例えば、作動区域は、フィーダーアーム２４０の運動を制御するサーボ機構に連結されている電気入力であってもよい。したがって、コンビネーションフィーダー２２０は、前述した構成と同じ一般的な態様で動作するさまざまな構造を有していてもよい。
【００８４】
〈編みプロセス〉
ここで、編み機２００がニット構成要素を製造するために動作する態様を詳しく説明していく。また、以下の説明は編みプロセス中のコンビネーションフィーダー２２０の動作を実証する。図２１Ａを参照すると、さまざまな針２０２と、レール２０３と、標準フィーダー２０４と、コンビネーションフィーダー２２０とを含んでいる編み機２００の一部が図示されている。コンビネーションフィーダー２２０はレール２０３の前側に固定されているが、標準フィーダー２０４はレール２０３の後側に固定されている。ヤーン２０６はコンビネーションフィーダー２２０を通過し、ヤーン２０６の一端が給糸先端部２４６から外側に延びている。ヤーン２０６が図示されているが、他のあらゆるストランド（例、フィラメント、スレッド、ロープ、帯、ケーブル、鎖またはヤーン）がコンビネーションフィーダー２２０を通過してもよい。別のヤーン２１１が標準フィーダー２０４を通過してニット構成要素２６０の一部を形成し、ニット構成要素２６０の最上コースを形成するヤーン２１１のループが針２０２の末端に配置されているフックによって保持されている。
【００８５】
本明細書で説明する編みプロセスはニット構成要素２６０の形成に関係するが、これはニット構成要素１３０および１５０と同様なニット構成要素を含め、あらゆるニット構成要素であってもよい。説明のために、図面では、ニット構造を例示できるように、ニット構成要素２６０の比較的小さな区画しか示していない。また、編み機２００およびニット構成要素２６０のさまざまな要素の縮尺または比率は、編みプロセスをよりよく例証するために拡大している。
【００８６】
標準フィーダー２０４は給糸先端部２１３を備えるフィーダーアーム２１２を含んでいる。フィーダーアーム２１２は給糸先端部２１３を、（ａ）針２０２間の中心になる、および（ｂ）針床２０１の交差部の上になる位置に位置付ける角度を成している。図２２Ａはこの構成の模式的な断面図を図示している。針２０２は異なる平面上にあり、互いに対して角度を成していることに留意する。すなわち、針床２０１からの針２０２は異なる平面上にある。針２０２はそれぞれ第１位置および第２位置を有する。実線で示される第１位置では、針２０２は後退している。点線で示される第２位置では、針２０２は延伸している。第１位置で、針２０２は針床２０１のある平面が相交わる交差部から離れている。しかし、第２位置では、針２０２は延びて、針床２０１のある平面が相交わる交差部を通過している。すなわち、針２０２は第２位置に延伸すると互いに交差する。給糸先端部２１３は平面の交差部の上に配置されていることに留意するべきである。この位置で、給糸先端部２１３は編み、タック編みおよび浮き編みのためにヤーン２１１を針２０２に供給する。
【００８７】
コンビネーションフィーダー２２０は、矢印２２１の向きで明確に示されるように、後退位置にある。フィーダーアーム２４０はキャリア２３０から下側に延びて、給糸先端部２４６を、（ａ）針２０２の間の中心になる、および（ｂ）針床２０１の交差部の上になる位置に位置付ける。図２２Ｂはこの構成の模式的な断面図を図示している。給糸先端部２４６は図２２Ａの給糸先端部２１３と同じ相対的な位置に位置付けられていることに留意する。
【００８８】
ここで図２１Ｂを参照すると、標準フィーダー２０４はレール２０３に沿って移動し、ヤーン２１１からニット構成要素２６０に新たなコースが形成されている。より具体的には、針２０２は前のコースのループを通してヤーン２１１の区画を引き、それによって新たなコースを形成する。したがって、標準フィーダー２０４を針２０２に沿って移動し、それによって針２０２がヤーン２１１を操作して、ヤーン２１１から追加のループを形成できるようにすることで、ニット構成要素２６０にコースを追加してもよい。
【００８９】
編みプロセスを続けると、図２１Ｃに図示するように、フィーダーアーム２４０は今度は後退位置から延伸位置に並進する。延伸位置では、フィーダーアーム２４０はキャリア２３０から下側に延びて、給糸先端部２４６を、（ａ）針２０２の間の中心になる、および（ｂ）針床２０１の交差部の下になる位置に位置付ける。図２２Ｃはこの構成の模式的な断面図を図示している。給糸先端部２４６は、フィーダーアーム２４０の並進運動のために、図２２Ｂの給糸先端部２４６の位置の下に位置付けられていることに留意する。
【００９０】
ここで図２１Ｄを参照すると、コンビネーションフィーダー２２０はレール２０３に沿って移動し、ヤーン２０６はニット構成要素２６０のループ間に配置されている。すなわち、ヤーン２０６はいくつかのループの前かつ他のループの背後に交互パターンで配置されている。また、ヤーン２０６はある針床２０１からの針２０２によって保持されているループの前に配置されるとともに、ヤーン２０６は他方の針床２０１からの針２０２によって保持されているループの背後に配置されている。フィーダーアーム２４０は、ヤーン２０６を針床２０１の交差部の下の区域に置くために、延伸位置にとどまっていることに留意する。こうしてヤーン２０６を図２１Ｂの標準フィーダー２０４によって直前に形成されたコース内に効果的に配置する。
【００９１】
ヤーン２０６をニット構成要素２６０に完全に挿入するために、図２１Ｅに図示するように、標準フィーダー２０４はレール２０３に沿って移動して、ヤーン２１１から新たなコースを形成する。新たなコースを形成することによって、ヤーン２０６はニット構成要素２６０の構造内に効果的に編み込まれ、またはその他の形で統合される。この段階で、フィーダーアーム２４０も延伸位置から後退位置に並進してもよい。
【００９２】
図２１Ｄおよび図２１Ｅは、レール２０３に沿ったフィーダー２０４および２２０の個別の移動を示している。すなわち、図２１Ｄはレール２０３に沿ったコンビネーションフィーダー２２０の第１移動を示し、図２１Ｅはレール２０３に沿った標準フィーダー２０４の第２のその後の移動を示している。多くの編みプロセスでは、フィーダー２０４および２２０は同時にヤーン２０６を挿入しながらヤーン２１１から新たなコースを形成するために効果的に移動してもよい。しかし、ヤーン２１１から新たなコースを形成する前にヤーン２０６を位置付けるために、コンビネーションフィーダー２２０は標準フィーダー２０４に先立って、または前に移動する。
【００９３】
上記説明で概説した一般的な編みプロセスは、インレイストランド１３２および１５２をニット要素１３１および１５１に配置してもよい態様の実施例を提供する。より具体的には、ニット構成要素１３０および１５０は、コンビネーションフィーダー２２０を利用して、インレイストランド１３２および１５２をニット要素１３１に効果的に挿入することによって形成してもよい。フィーダーアーム２４０の往復運動を考えると、インレイストランドは新たなコースを形成する前に以前に形成されたコース内に配置してもよい。
【００９４】
編みプロセスを続けると、図２１Ｆに図示するように、フィーダーアーム２４０は今度は後退位置から延伸位置に並進する。図２１Ｇに図示するように、次にコンビネーションフィーダー２２０がレール２０３に沿って移動して、ヤーン２０６がニット構成要素２６０のループ間に配置される。これによりヤーン２０６は図２１Ｅの標準フィーダー２０４で形成されたコース内に効果的に配置される。ヤーン２０６をニット構成要素２６０に完全に挿入するために、図２１Ｈに図示するように、標準フィーダー２０４はレール２０３に沿って移動して、ヤーン２１１から新たなコースを形成する。新たなコースを形成することにより、ヤーン２０６はニット構成要素２６０の構造内に効果的に編み込まれ、またはその他の形で統合される。この段階で、フィーダーアーム２４０も延伸位置から後退位置に並進してもよい。
【００９５】
図２１Ｈを参照すると、ヤーン２０６は２つのインレイ区画の間にループ２１４を形成している。上記ニット構成要素１３０の説明において、インレイストランド１３２は周縁部１３３でニット要素１３１を出てから、周縁部１３３の別の位置でニット要素１３１に再進入するのを繰り返し、それによって図５および図６で分かるように、周縁部１３３に沿ってループを形成することに留意される。ループ２１４は同様に形成される。すなわち、ループ２１４はヤーン２０６がニット構成要素２６０のニット構造を出てから、ニット構造に再進入するところに形成される。
【００９６】
上記説明したように、標準フィーダー２０４は、針２０２が編み、タック編みおよび浮き編みするために操作するヤーン（例、ヤーン２１１）を供給する能力を有する。しかし、コンビネーションフィーダー２２０はヤーンを挿入するとともに、針２０２が編み、タック編みまたは浮き編みするヤーン（例、ヤーン２０６）を供給する能力を有する。編みプロセスの上記の説明は、コンビネーションフィーダー２２０が延伸位置にあるときにヤーンを挿入する態様を説明している。コンビネーションフィーダー２２０は後退位置にあるときに、編み、タック編みおよび浮き編みするためのヤーンを供給してもよい。図２１Ｉを参照すると、例えば、コンビネーションフィーダー２２０は後退位置にあるときにレール２０３に沿って移動し、後退位置にあるときにニット構成要素２６０のコースを形成する。したがって、フィーダーアーム２４０を後退位置と延伸位置との間で往復運動させることにより、コンビネーションフィーダー２２０は編み、タック編み、浮き編みおよび挿入するためにヤーン２０６を供給してもよい。そのため、コンビネーションフィーダー２２０の利点は、標準フィーダー２０４よりも多くの機能のために利用してもよいヤーンを供給する点においてその汎用性に関係する。
【００９７】
編み、タック編み、浮き編みおよび挿入するためにヤーンを供給するコンビネーションフィーダー２２０の能力は、フィーダーアーム２４０の往復運動に基づいている。図２２Ａおよび図２２Ｂを参照すると、給糸先端部２１３および２４６は針２２０に対して同一の位置にある。このように、フィーダー２０４および２２０はともに編み、タック編みおよび浮き編みするためのヤーンを供給してもよい。図２２Ｃを参照すると、給糸先端部２４６は異なる位置にある。このように、コンビネーションフィーダー２２０は挿入するためにヤーンまたは他のストランドを供給してもよい。そのため、コンビネーションフィーダー２２０の利点は、編み、タック編み、浮き編みおよび挿入するために利用してもよいヤーンを供給する点においてその汎用性に関係する。
【００９８】
〈さらなる編みプロセスの考察〉
ここで、編みプロセスに関係する追加の側面を説明していく。図２３を参照すると、ニット構成要素２６０の上コースはヤーン２０６および２１１の両方から形成されている。
より具体的には、コースの左側はヤーン２１１で形成されているが、コースの右側はヤーン２０６から形成されている。さらに、ヤーン２０６はコースの左側に挿入されている。この構成を形成するために、標準フィーダー２０４は最初にヤーン２１１からコースの左側を形成してもよい。次に、フィーダーアーム２４０が延伸位置にあるときに、コンビネーションフィーダー２２０はコースの右側にヤーン２０６を置く。その後、フィーダーアーム２４０は延伸位置から後退位置に移動して、コースの右側を形成する。したがって、コンビネーションフィーダーはコースのある部分にヤーンを挿入してから、コースの残りの部分を編むためにヤーンを供給してもよい。
【００９９】
図２４は、４つのコンビネーションフィーダー２２０を含んでいる編み機２００の構成を図示している。上記説明したように、コンビネーションフィーダー２２０は、編み、タック編み、浮き編みおよび挿入するためにヤーン（例、ヤーン２０６）を供給する能力を有する。この汎用性を考えると、標準フィーダー２０４は編み機２００またはさまざまな従来の編み機において複数のコンビネーションフィーダー２２０に取り替えてもよい。
【０１００】
図８Ｂは、２本のヤーン１３８および１３９を添え糸編みしてニット要素１３１を形成し、インレイストランド１３２がニット要素１３１を通って延びているニット構成要素１３０の構成を図示している。この構成を形成するために、上記説明した一般的な編みプロセスも利用してもよい。図１５に図示するように、編み機２００は複数の標準フィーダー２０４を含んでおり、標準フィーダー２０４のうちの２つはニット要素１３１を形成するために利用してもよく、コンビネーションフィーダー２２０がインレイストランド１３２を置く。したがって、図２１Ａ〜図２１Ｉで上記説明した編みプロセスは、追加ヤーンを供給するために別の標準フィーダー２０４を追加して変更してもよい。ヤーン１３８が非融着性ヤーンで、ヤーン１３９が融着性ヤーンの構成では、編みプロセス後にニット構成要素１３０を加熱して、ニット構成要素１３０を融着してもよい。
【０１０１】
図２１Ａ〜図２１Ｉに図示するニット構成要素２６０の部分は、規則的で途切れのないコースおよびウェールを備えるリブニット布地の構成を有する。すなわち、ニット構成要素２６０の部分は、例えば、メッシュのニットゾーン１６３〜１６５と同様なメッシュ区域またはモックメッシュのニットゾーン１６６および１６７と同様なモックメッシュ区域を有していない。ニット構成要素１５０および２６０のいずれかにメッシュのニットゾーン１６３〜１６５を形成するためには、針床２０１を振ることと、異なる振り位置で前から後の針床２０１および後から前への針床２０１の目移しとの組み合わせを利用する。モックメッシュのニットゾーン１６６および１６７と同様なモックメッシュ区域を形成するためには、針床を振ることと、前から後への針床２０１の目移しとの組み合わせを利用する。
【０１０２】
ニット構成要素内のコースは互いに略平行である。インレイストランド１５２の大部分がニット要素１５１内のコースに追従することを考えると、インレイストランド１５２のさまざまな区画は互いに平行になると思うかもしれない。例えば、図９を参照すると、インレイストランド１５２のいくつかの区画は縁部１５３と１５５との間に延びており、他の区画は縁部１５３と１５４との間に延びている。そのため、インレイストランド１５２のさまざまな区画は平行ではない。ダーツを形成する概念が、インレイストランド１５２にこの非平行の構成を付与するために利用されてもよい。より具体的には、長さが異なるコースを形成して、インレイストランド１５２の区画間に楔形構造を効果的に挿入してもよい。そのため、ニット構成要素１５０に形成される構造は、インレイストランド１５２のさまざまな区画が平行ではない場合、ダーツ形成プロセスから達成してもよい。
【０１０３】
インレイストランド１５２の大部分はニット要素１５１内のコースに追従しているが、インレイストランド１５２のいくつかの区画はウェールに追従している。例えば、内側縁部１５５に隣接しかつ平行なインレイストランド１５２の区画はウェールに追従する。これは、まずインレイストランド１５２のある区画をコースの一部に沿って、インレイストランド１５２をウェールに追従させようとする地点に挿入することによって達成してもよい。次に、インレイストランド１５２を逆向きに進めて、インレイストランド１５２を軌道の外に移動して、コースを終了する。その後コースが形成されていくときに、インレイストランド１５２を再び逆向きに進め、インレイストランド１５２を軌道から外して、インレイストランド１５２をウェールに追従させようとする地点に移動して、コースを終了する。このプロセスを、インレイストランド１５２がウェールに沿って所望の距離に延びるまで繰り返す。ニット構成要素１３０のインレイストランド１３２の部分に同様な概念を利用してもよい。
【０１０４】
（ａ）ニット要素１３１とインレイストランド１３２、または（ｂ）ニット要素１５１とインレイストランド１５２との相対的な動きを減らすために、さまざまな手順を使用してもよい。すなわち、インレイストランド１３２および１５２がニット要素１３１および１５１を滑り、移動し、脱落し、またはその他変位しないようにさまざまな手順を利用してもよい。例えば、熱可塑性ポリマー材料から形成されている１以上のヤーンをインレイストランド１３２および１５２に融着して、インレイストランド１３２および１５２とニット要素１３１および１５１との動きを防止してもよい。さらに、インレイストランド１３２および１５２が、タック要素として編み針に規則的に送られるときにニット要素１３１および１５１に定着させてもよい。すなわち、インレイストランド１３２および１５２をニット要素１３１および１５１に固定して、インレイストランド１３２および１５２の動きを防止するために、インレイストランド１３２および１５２をその長さに沿った地点（例、１センチごとに１回）でタック編みに編み込んでもよい。
【０１０５】
上記説明した編みプロセスの後、ニット構成要素１３０および１５０のいずれかの特性を向上させるためにさまざまな操作を行ってもよい。例えば、ニット構造が水分を吸収して保持する能力を制限するために、撥水コーティングまたは他の耐水処理を施してもよい。別の実施例として、ニット構成要素１３０および１５０にスチームを当てて、弾性力を改善し、ヤーンの融着を誘導してもよい。図８Ｂに関して上記説明したように、ヤーン１３８は非融着性ヤーンでもよく、ヤーン１３９は融着性ヤーンでもよい。スチームを当てると、ヤーン１３９は溶融しまたはその他の形で柔軟になるので、固体状態から軟化した状態または液体状態に遷移し、さらに十分に冷却すると軟化した状態または液体状態から固体状態に遷移するようにしてもよい。このように、ヤーン１３９は、例えば、（ａ）ヤーン１３８のある部分をヤーン１３８の別の部分に、（ｂ）ヤーン１３８とインレイストランド１３２を互いに、または（ｃ）別の要素（例、ロゴ、商標、ならびに注意書きおよび材料情報を記載した札）をニット構成要素１３０に接合するために利用してもよい。したがって、スチームを当てるプロセスは、ニット構成要素１３０および１５０にヤーンの融着を誘導するために利用してもよい。
【０１０６】
スチームを当てるプロセスに関連した手順は大幅に変わってもよいが、ある方法はスチームを当てている間にニット構成要素１３０および１５０の１つをジグにピン止めすることに関わる。ニット構成要素１３０および１５０の１つをジグにピン止めする利点は、ニット構成要素１３０および１５０の特定の区域の仕上がり寸法を制御できることである。例えば、ジグ上のピンをニット構成要素１３０の周縁部１３３に対応する区域に保持するように配置してもよい。周縁部１３３の特定の寸法を保持することにより、周縁部１３３は、アッパー１２０をソール構造１１０に接合するラスティングプロセスの一部のために正確な長さを有することになる。したがって、ニット構成要素１３０および１５０のピン止め区域を利用して、スチームを当てるプロセス後のニット構成要素１３０および１５０の仕上がり寸法を制御してもよい。
【０１０７】
ニット構成要素２６０を形成するために上記説明した編みプロセスは、履物１００のニット構成要素１３０および１５０の製造に適用してもよい。編みプロセスはさまざまな他のニット構成要素の製造にも適用してもよい。すなわち、１以上のコンビネーションフィーダーまたは往復運動する他のフィーダーを利用する編みプロセスを利用して、さまざまなニット構成要素を形成してもよい。このように、上記説明した編みプロセスまたは同様なプロセスで形成されるニット構成要素は、他の種類の衣料品（例、シャツ、パンツ、靴下、上着、下着）、運動用品（例、ゴルフバッグ、野球およびフットボール用グローブ、サッカーボールの規制構造体）、入れ物（例、パックパック、バッグ）、ならびに家具用の装飾用品（例、椅子、ソファ、カーシート）にも利用してもよい。ニット構成要素はベッドカバーリング（例、シーツ、毛布）、テーブルカバーリング、タオル、旗、テント、帆およびパラシュートにも使用してもよい。ニット構成要素は、自動車および航空宇宙産業用の構造物、フィルタ材料、医療用の布（例、包帯、綿棒、移植組織片）、堤防を補強するためのジオテキスタイル、作物を保護するためのアグロテキスタイル、ならびに熱および放射から保護または絶縁する工業用衣料品を含め、産業用の技術的テキスタイルとして利用してもよい。したがって、上記説明した編みプロセスまたは同様なプロセスから形成されるニット構成要素は、個人用および産業用の両方の目的のためのさまざまな製品に組み込んでもよい。
【０１０８】
〈ベロを有するニット構成要素〉
履物１００では、ベロ１２４は、ニット構成要素１３０と分かれており、場合により縫製、接着または熱接合によってニット構成要素１３０に接合されている。さらに、ベロ１２４は、編みプロセスの後に、ニット構成要素１３０に付加されるように説明される。しかし、図２５および図２６に図示されているように、ニット構成要素１３０は、ニット要素１３１を用いた一体ニット構造で形成されているニットベロ１７０を含んでいる。すなわち、ニット要素１３１とベロ１７０は、編みプロセスによってワンピース要素として形成され、そのことは、以下でより詳細に説明する。ベロ１２４または別のベロは、ニット構成要素１３０が形成された後にニット要素１３１に接合してもよいが、ベロ１７０または別のニットベロは、編みプロセス中に、ニット構成要素１３０の一部を有する一体ニット構造で形成してもよい。
【０１０９】
ベロ１７０は、ニット構成要素１３０から成るスロート区域（すなわち、締めひも１２２および締めひも開口１２３が配置されている箇所）内に配置され、そのスロート区域に沿って延びている。ベロ１７０は、例えば、履物１００に組み込んだ場合、そのスロート区域の前方部から足首開口部１２１まで延びている。ニット要素１３１と同様に、ベロ１７０は、あまりテクスチャード加工されていない布地と、共通のまたは単一のニット構造とで形成されているように図示されている。また、ベロ１７０は、大略的に平坦な構造を有するように図２７に図示されている。この構造をベロ１７０に与えることのできるニット構造およびニット要素１３１の実施例は、上述したニットゾーン１６０〜１６２におけるさまざまなニット構造のうちのいずれかである。しかし、さらなる構成では、メッシュニットゾーン１６３〜１６５から成るニット構造を用いることによって、ベロ１７０の区域に開口を形成してもよく、モックメッシュニットゾーン１６６または１６７から成るニット構造を用いることによって、ベロ１７０の区域に凹みを形成してもよく、または、ハイブリッドニットゾーン１６８から成るニット構造を用いることによって、ベロ１７０の区域に、開口および凹みから成る組合せを形成してもよい。さらに、ベロ１７０の区域は、例えば、パッド入りゾーン１６９と同様の層およびフローティングヤーンを有するように形成した場合、パッド入りの態様を有してもよい。したがって、ベロ１７０のテクスチャード加工されていない平らな態様を実施例のために図示し、異なるニット構造の利用によって、さまざまな特徴を与えてもよい。
【０１１０】
図２８および図２９を参照すると、ニット構成要素１５０のニット要素１５１内に、一体ニット構造で形成されているニットベロ１７５が図示されている。ベロ１７５は、ベロ１７０と同じ一般的形状を有しているが、より大きな厚みを有するパッド入り態様を有してもよい。より具体的には、ベロ１７５は、一体ニット構造で形成することができる２つの重なり合う、少なくとも部分的に同一の広がりを有するニット層１７６と、層１７６間に配置された複数のヤーンループ１７７とを含むように図３０に図示されている。層１７６の側部または縁部は、互いに固定または編まれているが、中央区域は、大略的に固定されていない。したがって、層１７６は、チューブまたは管状構造を有効に形成し、ヤーンループ１７７は、層１７６間に配置され、および層１７６のうちの１つから外側へ延びている。実際には、ヤーンループ１７７は、層１７６間の内部空間を満たして、圧縮性またはパッド入りの態様をベロ１７５に与えている。また、層１７６およびヤーンループ１７７の各々は、ニット構成要素１５０を形成する編みプロセス中に、一体ニット構造で形成してもよい。
【０１１１】
別のニット構成要素１８０は、ニット要素１８１と、インレイストランド１８２と、ニットベロ１８３とを含むように図３１に図示されている。ベロ１８３の存在を除いて、ニット構成要素１８０は、参照によって本願明細書に組み込まれる、Ｄｕａによる米国特許出願公開第２０１０／０１５４２５６号明細書に開示されているニット構成要素から成る一般的な構造を有している。ベロ１８３は、ニット要素１８１とともに一体ニット構造で形成され、さまざまなニット構造を含んでいる。図３２を参照すると、例えば、ベロ１８３の周辺区域は、ニットゾーン１６０〜１６２にさまざまなニット構造のうちのいずれかを有していてもよい、テクスチャード加工されていない構成を呈している。ベロ１８３の少なくとも２つの区域は、開口を組み込んでおり、およびメッシュニットゾーン１６３〜１６５に、さまざまなニット構造のうちのいずれかを有してもよい。図３３を参照すると、ベロ１８３の中央区域は、一体ニット構造で形成することができる２つの重なり合う、少なくとも部分的に同一の広がりを有するニット層１８４と、層１８４間に延びている複数のフローティングヤーン１８５とを含む圧縮性またはパッド入りの態様を有している。そのため、ベロ１８３の中央区域は、パッド入りゾーン１６９から成るニット構造を呈していてもよい。層１８４の側部または縁部は、互いに固定されているが、中央区域は、大略的に固定されていなくてもよい。したがって、層１８４は、チューブまたは管状構造を有効に形成し、その管状構造の中を通るように、フローティングヤーン１８５を層１８４間に配置または挿入することができる。すなわち、フローティングヤーン１８５は、層１８４間に延びており、層１８４の表面に大略的に平行であり、層１８４間の内部空間を通って満たしている。ベロ１８３の大部分は、互いにかみ合うループを形成するように機械的に操作されるヤーンから形成されているが、フローティングヤーン１８５は、大略的に束縛されていないか、または、他の方法で層１８４間の内部空間に挿入されている。追加的な問題として、層１８４は、ニット層１４０およびフローティングヤーン１４１の場合に述べた利点を与えるために、ストレッチヤーンから少なくとも部分的に形成してもよい。
【０１１２】
ベロ１８３は、さまざまなニット構造を用いることができる方法の実施例を示している。上述したように、ベロ１８３の周辺区域は、テクスチャード加工されていない構成を呈し、ベロ１８３の２つの区域は開口を組み込んでおり、ベロ１８３の中央区域は、ニット層１８４とフローティングヤーン１８５を含んでいて、圧縮性またはパッド入りの態様を実現している。また、モックメッシュニット構造およびハイブリッドニット構造を用いてもよい。したがって、さまざまなニット構造をベロ１８３または他の何らかのニットベロ（例えば、ベロ１７０および１７５）に組み込んで、異なる特性または美観を与えることができる。
【０１１３】
ベロ１７０は、ニット要素１３１のスロート区域の前方部に固定されている。すなわち、ベロ１７０は、履物１００の足先領域１０１に最も近いスロート区域の一部において、縫製によってニット要素１３１に接合される。ベロ１７５および１８３の各々は、それぞれ、ニット構成要素１５０および１８０の同じ位置に固定されるか、または編みこまれる。しかし、図３４および図３５を参照すると、ニットベロ１９０は、インレイストランド１３２または締めひも開口１２３を含んでいないニット構成要素１３１から成る構成のスロート区域の長さに沿って固定されている。より具体的には、ベロ１９０の縁部は、内縁部１３５から外側に離間しているニット要素１３１の区域に編み込まれている。したがって、ベロ１７０，１７５，１８３および１９０から成る構成はどれでも、ニット構成要素１３０，１５０および１８０のスロート区域内のさまざまな位置に（例えば、一体ニット構造によって）固定することができる。
【０１１４】
編みプロセス中にベロ１７０を作るという利点および一体ニット構造から成るベロ１７０を作るという利点は、より効率的な製造特性であり、共通の特性である。より具体的には、製造効率は、より一層のニット構成要素１３０を編みプロセス中に形成して、多くの場合、人の手で実行されるさまざまな工程（例えば、独立したベロを形成する工程、そのベロを固定する工程）をなくすことによって向上させることができる。ベロ１７０とニット要素１３１は、同じヤーン（または、同じ種類のヤーン）から、または同様のニット構造で形成した場合、共通の特性を有してもよい。例えば、ベロ１７０およびニット要素１３１の両方に同じヤーンを用いることにより、同様の耐久性、強度、伸縮性、耐摩耗性、生物分解性、熱特性および疎水性が与えられる。物理的特性に加えて、ベロ１７０とニット要素１３１の両方に同じヤーンを用いることにより、色、光沢および質感等の共通の美観または触覚特性を与えてもよい。また、ベロ１７０とニット要素１３１の両方に同じニット構造を用いることにより、共通の物理特性および美観性を与えてもよい。これらの利点は、ニット要素１３１の少なくとも一部と、ベロ１７０の少なくとも一部とが、共通のヤーン（または、共通の種類のヤーン）から、または、共通のニット構造で形成される場合に有ってもよい。
【０１１５】
ベロ１７５は、層１７６間にヤーンループ１７７を含み、ベロ１８３は、層１８４間にフローティングヤーン１８５を含んでいる。ヤーンループ１７７およびフローティングヤーン１８５の利点は、圧縮性またはパッド入りの区域が形成されるということである。ヤーンループ１７７およびフローティングヤーン１８５に加えて、他の種類のフリーヤーン部分を用いてもよい。本出願の目的のために、「フリーヤーン部分」またはその変形は、例えば、フローティングヤーン、インレイヤーン、テリーループ、ヤーンの端部、およびヤーンのカット部分等の、ニット構造の（例えば、コースおよびウェールを画定する）互いにかみ合うループを直接的に形成していないヤーンのセグメントまたは部分として定義される。さらに、フリーヤーン部分は、個々のヤーンの１つの部分であってもよく、そのヤーンの他の部分は、ニット構造の互いにかみ合っているループを形成していることに留意すべきである。例えば、テリーループを形成するヤーンの部分（例えば、フリーヤーン部分）は、ニット構造の互いにかみ合うループを形成するヤーンの部分の間にあってもよい。あるいは、フリーヤーン部分に対する代替例として、発泡材料または他の種類の圧縮性材料を、ベロ１７５および１８３のいずれかに用いてもよい。
【０１１６】
最終的な事項として、ベロ１７０がニット構成要素１３０とともに開示されているが、ベロ１７０は、ニット構成要素１５０および１８０および他のニット構成要素とともに用いてもよい。同様に、ベロ１７５，１８３および１９０は、ニット構成要素１３０，１５０および１８０および他のニット構成要素のうちのいずれかとともに用いてもよい。そのため、本願明細書において開示されている組合せは、実施例のためのものであり、その他の組合せを用いてもよい。さらに、ベロ１７０，１７５，１８３および１９０の特定の構成も、実施例を示すことを意図しており、大幅に変更してもよい。例えば、層１８４およびフローティングヤーン１８５の位置は、拡大してもよく、ベロ１８３の周辺まで移動させてもよく、または、ベロ１８３から取り除いてもよい。したがって、さまざまな組合せ構成が、実施例を示すために意図され、他の組合せや構成を用いてもよい。
【０１１７】
〈ベロ編みプロセス〉
次に、編み機２００が、ニット構成要素をベロとともに製造するために作動する方法を詳細に説明する。さらに、以下の説明は、ニット要素１３１とベロ１７０が一体ニット構造で形成される方法を論証しているが、他のニット構成要素およびベロのために、同様のプロセスを用いてもよい。図３６Ａ〜図３６Ｇを参照すると、編み機２００の一部が、針床２０１と、１つのレール２０３と、１つの標準フィーダー２０４と、１つのコンビネーションフィーダー２２０とを含むように模式的に図示されている。ニット構成要素１３０は、針床２０１の間で形成されるが、ニット構成要素１３０は、（ａ）編みプロセスの説明時に、より見やすいように、（ｂ）互いに対するニット構成要素１３０の部分の位置と針床２０１とを示すように、針床２０１に隣接して図示されていることを理解すべきである。また、１つのレール２０３と、１つの標準フィーダー２０４と、１つのコンビネーションフィーダー２２０が図示されているが、追加的なレール２０３、標準フィーダー２０４およびコンビネーションフィーダー２２０を用いてもよい。したがって、編み機２００の大略的な構造は、編みプロセスを説明するために簡略化されている。
【０１１８】
まず、図３６Ａに図示されているように、ベロ１７０の一部が編み機２００によって形成される。ベロ１７０のこの部分を形成する際、標準フィーダー２０４は、レール２０３に沿って繰り返し移動し、さまざまなコースが、少なくともヤーン２１１から形成される。より具体的には、針２０２は、前のコースのループを通ってヤーン２１１の区画を引き、それによって、別のコースを形成する。この動作は、図３６Ｂに図示されているように、ベロ１７０が実質的に形成されるまで続く。この段階では、ベロ１７０は、１つのヤーン２１１から形成されているように図示されているが、追加的なヤーンを、さらなる標準フィーダー２０４からベロ１７０に組み込んでもよいことに留意すべきである。例えば、ベロ１７０がニット要素１３１に確実に正しく接合または編み込まれるのを補助するために、融着性ヤーンを、少なくともベロ１７０の上方または最終コースに組み込んでもよい。加えて、少なくともベロ１７０の最終コースは、編みプロセスの後の段階中に、ベロ１７０が針２０２上に確実に正確に配置されたままになるように、比較的堅くまたは密に編んだクロスタック編みを含んでもよい。
【０１１９】
ここで、編み機２００は、前述した編みプロセスに従って、図３６Ｃに図示されているように、ニット要素１３１の形成プロセスを始める。編みプロセスが続くにつれて、コンビネーションフィーダー２２０は、前述した編みプロセスにも従って、図３６Ｄに図示されているようにヤーン２０６をはめ込み、インレイストランド１３２を形成する。図３６Ｃと図３６Ｄの比較により、ベロ１７０は、針床２０１に対して静止したままであるが、ニット要素１３１は下方に移動し、連続的なコースがニット要素１３１に形成されるにつれて、ベロ１７０に重なる可能性がある。このことは、ベロ１７０をニット要素１３１に接合することが意図されているコースが形成されるまで続く。より具体的には、ベロ１７０は、ニット構成要素１３１から成る部分が形成される際、針床２０１に対して静止したままである。しかし、図３６Ｅに図示されている時点では、（ａ）クロスタック編みを含む、ベロ１７０の最終コースにわたり、（ｂ）ベロ１７０の最終コースに接合するコースが形成される。実際には、このコースは、ベロ１７０をニット要素１３１に接合する。したがって、この段階では、ニット要素１３１とベロ１７０は、一体ニット構造で有効に形成されている。
【０１２０】
ベロ１７０が一度ニット要素１３１に接合されると、編み機２００は、コースを形成するというプロセスを続け、それによって、図３６Ｆに図示されているように、ニット要素１３１のより多くを形成する。ここで、ベロ１７０がニット要素１３１に接合されているのであれば、ベロ１７０は、図３６Ｅと図３６Ｆの比較によって分かるように、連続的なコースが形成されるにつれて、ニット要素１３１とともに下方へ移動する。前方へ移動して、編み機２００は、図３６Ｇに図示されているように、ニット構成要素１３０が実質的に形成されるまで、ニット要素１３１にコースを形成するというプロセスを続ける。
【０１２１】
ベロ１７０を含むようにニット構成要素１３０を形成することに関連する一般的なプロセスが存在するため、編みプロセスの追加的な態様について説明する。上述したように、ベロ１７０が確実および正確にニット要素１３１に接合または編み込まれるのを補助するために、融着性ヤーンを少なくともベロ１７０の最終コースに組み込んでもよい。いくつかの編みプロセスにおいて、ベロ１７０の最終コースを形成するヤーンはカットされる。融着性ヤーンをベロ１７０の最終コースに組み込むことにより、ベロ１７０とニット要素１３１との境界におけるニット構造を強化してもよい。すなわち、その融着性ヤーンの溶融は、その境界において、ヤーンの区画を溶かし、またはその区画に接合し、カットしたヤーンの解れを防止するであろう。
【０１２２】
また、上述したように、少なくともベロ１７０の最終コースは、編みプロセスの後の段階中に、ベロ１７０が確実に針２０２上に正しく配置されたままになるように、比較的堅く、または密に編んだクロスタック編みを含んでもよい。ニット要素１３１を形成する編みプロセスのほとんどの間、ベロ１７０は、針床２０１に対して静止したままである。しかし、編み機２００の動き、振動または他の動作は、針２０２から最終コースの部分を除去し、それによって目落ちを形成する可能性がある。比較的堅く、または密に編んだクロスタック編みを形成することにより、目落ちはあまり形成されない。さらに、目落ちが形成された場合、最終コース内の融着性ヤーンは、溶解するか、または、ニット構造内の目落ちを接合するであろう。
【０１２３】
ベロ１７０が一度編まれると、ニット要素１３１が形成される間、さまざまな針２０２が、ベロ１７０を定位置に保持する。実際には、ベロ１７０を保持する針２０２は、ベロ１７０がニット要素１３１に接合されるまで、さらなる編みには利用できない。その結果として、ベロ１７０の縁部を越えて（すなわち、ベロの右および左に）配置されたそれらの針２０２のみが、ニット要素１３１を形成するのに利用できる。したがって、ベロ１７０の最終コースは、ベロ１７０がニット要素１３１に接合される区域内の内縁部１３５の両側部間の距離以下の幅を有していなければならない。換言すれば、ニット構成要素１３０のデザインは、（ａ）ベロ１７０の最終コースの長さと、（ｂ）ニット要素１３１が形成されている間、ベロ１７０を保持するために用意しておく針２０２の数を考慮しなければならない。
【０１２４】
上述した編みプロセスでは、ベロ１７０およびニット要素１３１はともに、ヤーン２１１から形成される。ベロ１７０は、編みプロセスの一部の間、針床２０１に対して静止したままであるが、ニット要素１３１から成る部分は、連続的なコースが形成されるにつれて、下方へ移動する。ヤーン２１１のセグメントが、ベロ１７０の最終コースから、ニット要素１３１の最初のコース（すなわち、ニット要素１３１の底縁部）まで延びている可能性があることを考えれば、このヤーンのセグメントは、ニット要素１３１の最初のコースの下方への動きを考慮するための十分な長さを有していなければならない。実際には、図３６Ｃ〜図３６Ｅの比較によって、ニット要素１３１が形成されるにつれて、ニット要素１３１の最初のコースが下方へ移動して、ベロ１７０の最終コースから離れていくことが実証されている。したがって、ヤーン２１１のセグメントが、ベロ１７０の最終コースから、ニット要素１３１の最初のコースまで延びる場合、このヤーンのセグメントは、ベロ１７０の最終コースと、ニット要素１３１の最初のコースとの間の増大する距離を考慮するための十分な長さを有していなければならない。
【０１２５】
さまざまな方法を、ベロ１７０の最終コースと、ニット要素１３１の最初のコースとの間の増大する距離を考慮するのに利用してもよいが、図３７は、ベロ１７０の形成後に続いて形成される伸張区画１９５を図示している。この場合、伸張区画１９５は、針２０２の編み目を閉じてもよい。ベロ１７０の最終コースと、ニット要素１３１の最初のコースとの間の距離が増加する際に、伸張区画１９５が解けて延びる可能性がある。すなわち、伸張区画１９５の解きは、ベロ１７０の最終コースと、ニット要素１３１の最初のコースとの間で、ヤーン２１１の区画を有効に延ばすのに用いることができる。いくつかの構成では、伸張区画１９５は、解きを容易にするためのジャージ生地として形成してもよい。
【０１２６】
さまざまな図３６Ａ〜図３６Ｇが、独立して形成されるニット構成要素１３０を示している。しかし、いくつかの編みプロセスでは、ニット構成要素１３０を形成する前に、屑要素が編み込まれる。屑要素は、下方への力をニット構成要素１３０に与える、さまざまなローラーに絡む。その下方への力は、後のコースが形成されるにつれて、コースが針２０２から離れていくことを確実にする。
【０１２７】
上記の説明に基づいて、ニット要素１３１とベロ１７０は、単一の編みプロセスによって、一体ニット構造で形成してもよい。上述したように、まずベロ１７０が形成されて、ニット要素１３１が形成される際、そのベロ１７０は、針床２０１上で静止したままである。ニット要素１３１とベロ１７０を接合するコースが形成された後、ニット要素１３１およびベロ１７０は、ニット要素１３１のさらなる部分が形成されるにつれて、一緒に下方へ移動する。
【０１２８】
〈連続的変化〉
図３８に模式的に図示されているように、編み機２００は、いくつかある構成要素の中で、縫製機構２７０と、パターン２８０と、コンピュータ装置２９０とを含んでいる。縫製機構２７０は、ニット構成要素（例えば、ニット構成要素１３０）を形成するために、ヤーン２０６および２１１を機械的に操作する編み機２００の機械的コンポーネントの多く（例えば、針２０２、フィーダー２０４および２２０、キャリッジ２０５）を含んでいる。パターン２８０は、例えば、各ひと縫いに用いられるヤーンと、各ひと縫いによって形成されるニット構成要素の種類と、各ひと縫いに用いられる特定の針２０２とフィーダー２０４および２２０とを含む、ニット構成要素に関するデータを含んでいる。編み機２００の動作は、コンピュータ装置２９０によって制御され、そのコンピュータ装置は、パターン２８０からデータを読み出して、縫製機構２７０の対応する動作を指示する。
【０１２９】
多様な、および実質的に同一のニット構成要素を、編み機２００によって形成してもよい。より具体的には、コンピュータ装置２９０は、パターン２８０を繰り返し読み出して、実質的に同一のニット構成要素を形成するように縫製機構２７０に指示する。したがって、一般的に、形成される各ニット構成要素は、特定のパターン２８０に基づいて形成される他のニット構成要素と実質的に同一になる。しかし、図３９Ａ〜図３９Ｃを参照すると、３つのバージョンのベロ１７０が図示されている。図３９Ａは、「１  ＯＦ  １００」を形成する英数字を有するニット構造（例えば、異なる色を有するヤーン）を含むベロ１７０を図示しているが、図３９Ｂと図３９Ｃは、それぞれ、「２  ＯＦ  １００」および「３  ＯＦ  １００」を形成する英数字を有するニット構造を含むベロ１７０を図示している。
【０１３０】
図３９Ａ〜図３９Ｃに示す種類の連続的変化を実現する１つの方法は、多数のパターンを生成することである。実際には、図３９Ａ〜図３９Ｃに示すベロ１７０の構成の各々は、異なるパターンを有してもよい。あるいは、各連続するベロ１７０が、連続的変化をもたらすように形成されている間、コンピュータ装置２９０によって作動するアプリケーション（例えば、ソフトウェア）が、パターン２８０を変更してもよい。例えば、パターン２８０は、コンピュータ装置２９０によってアップデートまたは変えることのできるパターン２８０の領域である変更可能なフィールド２８１を含んでもよい。参考のために、図３９Ａ〜図３９Ｃにおいて「１」、「２」および「３」に一致するパターン２８０の部分は、変更可能なフィールド２８１によって制御することができる。コンピュータ装置２９０は、例えば、形成される各連続するニット構成要素に伴って変更可能なフィールド２８１をアップデートするカウンタを含んでもよい。したがって、パターン２８０の連続的変化は、コンピュータ装置２９０によって作動するアプリケーションの利用によって自動化することができ、それにより、ベロ１７０の各連続的変化のための異なるパターン２８０の必要性をなくすことができる。
【０１３１】
動作時に、変更可能なフィールド２８１を有するパターン２８０は、例えば、オペレータ、デザイナーまたは製造者によって与えられる。コンピュータ装置２９０は、変更可能なフィールド２８１のための初期設定によって第１のニット構成要素を形成するか、または、他の命令またはデータに従って変更可能なフィールド２８１をアップデートしてもよい。したがって、例えば、図３９Ａのベロ１７０は、「１  ＯＦ  １００」で編むことができる。ここで、コンピュータ装置２９０は、別の英数字を表すデータで、すなわち、コンピュータ装置２９０がカウンタを含んでいる場合は、可能な限り連続する英数字を表すデータによって、変更可能なフィールド２８１をアップデートし、その後、図３９Ｂのベロ１７０を、「２  ＯＦ  １００」で編むことができる。その処理手順が繰り返され、コンピュータ装置２９０が、別の英数字を表すデータで、変更可能なフィールド２８１をアップデートし、その後、図３９Ｃのベロ１７０を「３  ＯＦ  １００」で編むことができる。したがって、パターン２８０の変更可能なフィールドは、異なる英数字、できれば連続する英数字を表すデータで、繰り返しアップデートすることができる。
【０１３２】
本発明を、さまざまな構成を参照して、上記および添付図面に開示している。しかし、その開示が果たす目的は、本発明に関連するさまざまな特徴および概念の実施例を提供することであり、本発明の範囲を限定することではない。当業者は、添付クレームによって定義される本発明の範囲から逸脱することなく、上述した構成に対して、さまざまな変形および変更を実行してもよいことを正しく認識するであろう。
【０１３３】
この明細書および添付図面からは、特許請求の範囲に記載した特徴以外にも、たとえば、以下のような特徴が抽出され得る。
【０１３４】
Ａ１．履物製品用のニット構成要素を製造する方法であって、編み機でベロを編むことと、前記ベロが前記編み機の針床に対して静止されるように、前記編み機の針に前記ベロを保持することと、前記ベロが前記針に保持されている間に、前記編み機で、前記ベロと重なるようにニット要素の第１の部分を編むことと、前記ベロを、前記ニット要素の前記第１の部分に接合することと、前記編み機で、前記ニット要素の第２の部分を編むことと、を含む方法。
【０１３５】
Ａ２．前記編み機を横編機になるように選択するステップをさらに含む、Ａ１に記載の方法。
【０１３６】
Ａ３．前記ベロを編むステップの後に続いて、伸張区画を編むステップをさらに含み、前記ニット要素の前記第１の部分を編むステップは、前記伸張区画を解くことを含む、Ａ１またはＡ２に記載の方法。
【０１３７】
Ａ４．前記ベロを編むステップは、（ａ）融着性ヤーンおよび（ｂ）クロスタック編みのうちの少なくとも一方を含むように、前記ベロのコースを形成することを含む、Ａ１〜Ａ３のいずれかに記載の方法。
【０１３８】
Ａ５．前記ベロを接合するステップは、前記ベロを前記ニット要素に接合するコースを前記編み機で形成することを含む、Ａ１〜Ａ４のいずれかに記載の方法。
【０１３９】
Ａ６．履物製品用のニット構成要素を製造する方法であって、ベロを編み機で編むことと、ニット要素の第１の部分を前記編み機で編むことであって、前記ニット要素の前記第１の部分が編まれている間は、前記ベロが、前記編み機の針床に対して静止しており、前記ニット要素の前記第１の部分は、前記ニット要素の前記第１の部分が編まれている間は、前記ベロに対して移動していることと、前記ベロを前記ニット要素に接合するコースであって、クロスタック編みを含むコースを前記編み機で形成することと、前記ニット要素の第２の部分を前記編み機で編むことであって、前記ベロと、前記ニット要素の前記第１の部分とは、前記ニット要素の前記第２の部分を編んでいる間は、一緒に動くことと、を含む方法。
【０１４０】
Ａ７．前記編み機を横編機になるように選択するステップをさらに含む、Ａ６に記載の方法。
【０１４１】
Ａ８．前記ベロを編むステップの後に続いて、伸張区画を編むステップをさらに含み、前記ニット要素の前記第１の部分を編むステップは、前記伸張区画を解くことを含む、Ａ６またはＡ７に記載の方法。
【０１４２】
Ａ９．前記ベロを編むステップは、（ａ）融着性ヤーンおよび（ｂ）クロスタック編みのうちの少なくとも一方を含むように、前記ベロの最終コースを形成することを含む、Ａ６〜Ａ８のいずれかに記載の方法。
【０１４３】
Ａ１０．編みパターンに変更可能なフィールドを与えることと、第１の英数字を表すデータで前記変更可能なフィールドをアップデートすることと、前記第１の英数字のニット構造を有する第１のニット構成要素を編むことと、第２の英数字を表すデータで前記変更可能なフィールドをアップデートすることであって、前記第２の英数字は、前記第１の英数字とは異なっていることと、前記第２の英数字のニット構造を有する第２のニット構成要素を編むことと、を含む、Ａ１またはＡ６に記載の方法。
【０１４４】
Ａ１１．前記第２の英数字は、前記第１の英数字から連続している、Ａ１０に記載の方法。
【図１】
0006527545.tif 000002
【図２】
0006527545.tif 000003
【図３】
0006527545.tif 000004
【図４Ａ】
0006527545.tif 000005
【図４Ｂ】
0006527545.tif 000006
【図４Ｃ】
0006527545.tif 000007
【図５】
0006527545.tif 000008
【図６】
0006527545.tif 000009
【図７Ａ】
0006527545.tif 000010
【図７Ｂ】
0006527545.tif 000011
【図７Ｃ】
0006527545.tif 000012
【図７Ｄ】
0006527545.tif 000013
【図７Ｅ】
0006527545.tif 000014
【図８Ａ】
0006527545.tif 000015
【図８Ｂ】
0006527545.tif 000016
【図９】
0006527545.tif 000017
【図１０】
0006527545.tif 000018
【図１１】
0006527545.tif 000019
【図１２Ａ】
0006527545.tif 000020
【図１２Ｂ】
0006527545.tif 000021
【図１２Ｃ】
0006527545.tif 000022
【図１２Ｄ】
0006527545.tif 000023
【図１２Ｅ】
0006527545.tif 000024
【図１３Ａ】
0006527545.tif 000025
【図１３Ｂ】
0006527545.tif 000026
【図１３Ｃ】
0006527545.tif 000027
【図１３Ｄ】
0006527545.tif 000028
【図１３Ｅ】
0006527545.tif 000029
【図１３Ｆ】
0006527545.tif 000030
【図１３Ｇ】
0006527545.tif 000031
【図１３Ｈ】
0006527545.tif 000032
【図１４Ａ】
0006527545.tif 000033
【図１４Ｂ】
0006527545.tif 000034
【図１４Ｃ】
0006527545.tif 000035
【図１５】
0006527545.tif 000036
【図１６】
0006527545.tif 000037
【図１７】
0006527545.tif 000038
【図１８】
0006527545.tif 000039
【図１９】
0006527545.tif 000040
【図２０Ａ】
0006527545.tif 000041
【図２０Ｂ】
0006527545.tif 000042
【図２０Ｃ】
0006527545.tif 000043
【図２１Ａ】
0006527545.tif 000044
【図２１Ｂ】
0006527545.tif 000045
【図２１Ｃ】
0006527545.tif 000046
【図２１Ｄ】
0006527545.tif 000047
【図２１Ｅ】
0006527545.tif 000048
【図２１Ｆ】
0006527545.tif 000049
【図２１Ｇ】
0006527545.tif 000050
【図２１Ｈ】
0006527545.tif 000051
【図２１Ｉ】
0006527545.tif 000052
【図２２Ａ】
0006527545.tif 000053
【図２２Ｂ】
0006527545.tif 000054
【図２２Ｃ】
0006527545.tif 000055
【図２３】
0006527545.tif 000056
【図２４】
0006527545.tif 000057
【図２５】
0006527545.tif 000058
【図２６】
0006527545.tif 000059
【図２７】
0006527545.tif 000060
【図２８】
0006527545.tif 000061
【図２９】
0006527545.tif 000062
【図３０】
0006527545.tif 000063
【図３１】
0006527545.tif 000064
【図３２】
0006527545.tif 000065
【図３３】
0006527545.tif 000066
【図３４】
0006527545.tif 000067
【図３５】
0006527545.tif 000068
【図３６Ａ】
0006527545.tif 000069
【図３６Ｂ】
0006527545.tif 000070
【図３６Ｃ】
0006527545.tif 000071
【図３６Ｄ】
0006527545.tif 000072
【図３６Ｅ】
0006527545.tif 000073
【図３６Ｆ】
0006527545.tif 000074
【図３６Ｇ】
0006527545.tif 000075
【図３７】
0006527545.tif 000076
【図３８】
0006527545.tif 000077
【図３９Ａ】
0006527545.tif 000078
【図３９Ｂ】
0006527545.tif 000079
【図３９Ｃ】
0006527545.tif 000080